(57)【要約】      （修正有）【課題】追記型記録媒体でも書換型記録媒体と互換性がとれるディフェクト管理を提供する。【解決手段】追記型記録媒体１０上に、ディフェクト管理情報を確定的に記録するための確定的ディフェクト管理エリア１３と、ディフェクト管理情報を一時的に記録するための複数の一時的ディフェクト管理エリア１４Ａ、１４Ｂ、１４Ｃを設ける。記録媒体１０をファイナライズする前は、ディフェクト管理情報が更新される度に、更新されたディフェクト管理情報を複数の一時的ディフェクト管理エリアのいずれかに記録する。さらに、記録媒体１０上にステータス情報記録エリア１５を設け、そこに、最後に記録したディフェクト管理情報が存在する一時的ディフェクト管理エリアを示すステータス情報を記録する。ステータス情報を参照することにより、最後に記録したディフェクト管理情報を迅速に特定することができる。【選択図】図１
2005276433.tif 000002
【特許請求の範囲】
【請求項１】
記録データを記録するためのデータエリアと、
前記データエリアのディフェクト管理情報を記録するための確定的ディフェクト管理エリアを含み、前記データエリアへの記録・読取を制御する情報を記録するための制御情報記録エリアと、
前記データエリアのディフェクト管理情報を一時的に記録するための複数の一時的ディフェクト管理エリアと、
前記複数の一時的ディフェクト管理エリアのうちの一部またはそれぞれの記録状態を示すステータス情報が記録されるステータス情報記録エリアと
を備えていることを特徴とする追記型記録媒体。
【請求項２】
前記ステータス情報記録エリアは、前記制御情報記録エリア内に配置されていることを特徴とする請求項１に記載の追記型記録媒体。
【請求項３】
前記ステータス情報は、前記複数の一時的ディフェクト管理エリアの一部または全部に記録されたディフェクト管理情報のうち、時間的にみて最後に記録されたディフェクト管理情報が記録されている１個の一時的ディフェクト管理エリアを示す情報を含むことを特徴とする請求項１に記載の追記型記録媒体。
【請求項４】
前記ステータス情報は、前記複数の一時的ディフェクト管理エリアのうちの一部またはそれぞれにおける未記録領域の有無を示す情報を含むことを特徴とする請求項１に記載の追記型記録媒体。
【請求項５】
前記複数の一時的ディフェクト管理エリアのうちの少なくとも１個は、前記制御情報記録エリア内に配置されていることを特徴とする請求項１に記載の追記型記録媒体。
【請求項６】
前記複数の一時的ディフェクト管理エリアのうちの少なくとも１個は、前記制御情報記録エリアと前記データエリアとの間に配置されていることを特徴とする請求項１に記載の追記型記録媒体。
【請求項７】
(i)記録データを記録するためのデータエリアと、(ii)前記データエリアのディフェクト管理情報を記録するための確定的ディフェクト管理エリアを含み、前記データエリアへの記録・読取を制御する情報を記録するための制御情報記録エリアと、(iii)前記データエリアのディフェクト管理情報を一時的に記録するための複数の一時的ディフェクト管理エリアと、(iv)前記複数の一時的ディフェクト管理エリアのうちの一部またはそれぞれの記録状態を示すステータス情報が記録されるステータス情報記録エリアとを備えている追記型記録媒体に前記記録データを記録する記録装置であって、
前記記録データを前記データエリアに記録する第１の記録手段と、
前記ディフェクト管理情報を記憶する記憶手段と、
前記記憶手段に記憶されたディフェクト管理情報を前記複数の一時的ディフェクト管理エリアのうちのいずれかに記録する第２の記録手段と、
前記複数の一時的ディフェクト管理エリアのうちの一部またはそれぞれの記録状態を示すステータス情報を生成するステータス情報生成手段と、
前記ステータス情報生成手段により生成されたステータス情報を前記ステータス情報記録エリアに記録する第３の記録手段と、
前記記憶手段に記憶されたディフェクト管理情報を前記確定的ディフェクト管理エリアに記録する第４の記録手段と
を備えていることを特徴とする記録装置。
【請求項８】
前記ステータス情報生成手段は、前記複数の一時的ディフェクト管理エリアの一部または全部に記録されたディフェクト管理情報のうち、時間的にみて最後に記録されたディフェクト管理情報が記録されている１個の一時的ディフェクト管理エリアを示す情報を含む前記ステータス情報を生成することを特徴とする請求項７に記載の記録装置。
【請求項９】
前記ステータス情報生成手段は、前記複数の一時的ディフェクト管理エリアのうちの一部またはそれぞれにおける未記録領域の有無を示す情報を含む前記ステータス情報を生成することを特徴とする請求項７に記載の記録装置。
【請求項１０】
前記追記型記録媒体に対しファイナライズを行うファイナライズ手段と
前記追記型記録媒体がファイナライズ前であるときには前記ディフェクト管理情報を前記複数の一時的ディフェクト管理エリアのいずれかに記録するように前記第２の記録手段を制御し、前記ファイナライズ手段により前記追記型記録媒体に対しファイナライズを行うときには前記ディフェクト管理情報を前記確定的ディフェクト管理エリアに記録するように前記第４の記録手段を制御する記録制御手段と
を備えていることを特徴とする請求項７に記載の記録装置。
【請求項１１】
(i)記録データを記録するためのデータエリアと、(ii)前記データエリアのディフェクト管理情報を記録するための確定的ディフェクト管理エリアを含み、前記データエリアへの記録・読取を制御する情報を記録するための制御情報記録エリアと、(iii)前記データエリアのディフェクト管理情報を一時的に記録するための複数の一時的ディフェクト管理エリアと、(iv)前記複数の一時的ディフェクト管理エリアのうちの一部またはそれぞれの記録状態を示すステータス情報が記録されるステータス情報記録エリアとを備えている追記型記録媒体に記録された前記記録データを再生する再生装置であって、
前記ステータス情報記録エリアに記録されたステータス情報を読み取る第１の読取手段と、
前記第１の読取手段により読み取られたステータス情報に基づいて、時間的にみて最後に記録されたディフェクト管理情報が記録されている１個の一時的ディフェクト管理エリアを認識するエリア認識手段と、
前記エリア認識手段により認識された１個の一時的ディフェクト管理エリアに記録された前記ディフェクト管理情報を読み取る第２の読取手段と、
前記第２の読取手段により読み取られたディフェクト管理情報に基づいて、前記データエリアに記録された前記記録データを再生する再生手段と
を備えていることを特徴とする再生装置。
【請求項１２】
前記ステータス情報は、前記複数の一時的ディフェクト管理エリアの一部または全部に記録されたディフェクト管理情報のうち、時間的にみて最後に記録されたディフェクト管理情報が記録されている１個の一時的ディフェクト管理エリアを示す情報を含み、前記エリア認識手段は当該情報に基づいて前記１個の一時的ディフェクト管理エリアを認識することを特徴とする請求項１１に記載の再生装置。
【請求項１３】
前記ステータス情報は、前記複数の一時的ディフェクト管理エリアのうちの一部またはそれぞれにおける未記録領域の有無を示す情報を含み、前記エリア認識手段は当該情報に基づいて前記１個のディフェクト管理エリアを認識することを特徴とする請求項１１に記載の再生装置。
【請求項１４】
前記追記型記録媒体がファイナライズ済みであるか否かを検出するファイナライズ検出手段と、
前記確定的ディフェクト管理エリアに記録された前記ディフェクト管理情報を読み取る第３の読取手段と、
前記ファイナライズ検出手段による検出結果に基づき、前記追記型記録媒体がファイナライズ済みであるときには前記確定的ディフェクト管理エリアに記録された前記ディフェクト管理情報を読み取るように前記第３の読取手段を制御し、前記追記型記録媒体がファイナライズ済みでないときには前記１個の一時的ディフェクト管理エリアに記録された前記ディフェクト管理情報を読み取るように前記第２の読取手段を制御する読取制御手段と
を備えていることを特徴とする請求項１１に記載の再生装置。
【請求項１５】
コンピュータを請求項７に記載の記録装置として機能させることを特徴とするコンピュータプログラム。
【請求項１６】
コンピュータを請求項１１に記載の再生装置として機能させることを特徴とするコンピュータプログラム。
【請求項１７】
(i)記録データを記録するためのデータエリアと、(ii)前記データエリアのディフェクト管理情報を記録するための確定的ディフェクト管理エリアを含み、前記データエリアへの記録・読取を制御する情報を記録するための制御情報記録エリアと、(iii)前記データエリアのディフェクト管理情報を一時的に記録するための複数の一時的ディフェクト管理エリアと、(iv)前記複数の一時的ディフェクト管理エリアのうちの一部またはそれぞれの記録状態を示すステータス情報が記録されるステータス情報記録エリアとを備えている追記型記録媒体に前記記録データを記録する記録方法であって、
前記記録データを前記データエリアに記録する第１の記録工程と、
前記ディフェクト管理情報を作成または更新するディフェクト管理情報作成工程と、
前記ディフェクト管理情報作成工程において作成または更新されたディフェクト管理情報を前記複数の一時的ディフェクト管理エリアのうちのいずれかに記録する第２の記録工程と、
前記複数の一時的ディフェクト管理エリアのうちの一部またはそれぞれの記録状態を示すステータス情報を生成するステータス情報生成工程と、
前記ステータス情報生成工程において生成されたステータス情報を前記ステータス情報記録エリアに記録する第３の記録工程と、
前記追記型記録媒体に対しファイナライズを行うファイナライズ工程と、
前記ファイナライズ工程においてファイナライズが行われるときに、前記ディフェクト管理情報作成工程において作成または更新されたディフェクト管理情報を前記確定的ディフェクト管理エリアに記録する第４の記録工程と
を備えていることを特徴とする記録方法。
【請求項１８】
(i)記録データを記録するためのデータエリアと、(ii)前記データエリアのディフェクト管理情報を記録するための確定的ディフェクト管理エリアを含み、前記データエリアへの記録・読取を制御する情報を記録するための制御情報記録エリアと、(iii)前記データエリアのディフェクト管理情報を一時的に記録するための複数の一時的ディフェクト管理エリアと、(iv)前記複数の一時的ディフェクト管理エリアのうちの一部またはそれぞれの記録状態を示すステータス情報が記録されるステータス情報記録エリアとを備えている追記型記録媒体に記録された前記記録データを再生する再生方法であって、
前記追記型記録媒体がファイナライズ済みであるか否かを検出するファイナライズ検出手段と、
前記追記型記録媒体がファイナライズ済みであるときには、前記確定的ディフェクト管理エリアに記録された前記ディフェクト管理情報を読み取り、これを記憶手段に記憶させる第１の読取工程と、
前記追記型記録媒体がファイナライズ済みでないときには、前記ステータス情報記録エリアに記録されたステータス情報を読み取る第２の読取工程と、
前記第２の読取工程において読み取られたステータス情報に基づいて、時間的にみて最後に記録されたディフェクト管理情報が記録されている１個の一時的ディフェクト管理エリアを特定するエリア認識工程と、
前記エリア認識工程において認識された１個の一時的ディフェクト管理エリアに記録された前記ディフェクト管理情報を読み取る第３の読取工程と、
前記第３の読取工程において読み取られたディフェクト管理情報に基づいて、前記データエリアに記録された前記記録データを再生する再生工程と
を備えていることを特徴とする再生方法。
【発明の詳細な説明】
【技術分野】
【０００１】
本発明は、追記型記録媒体、追記型記録媒体に記録データを記録する記録装置および記録方法、並びに追記型記録媒体に記録された記録データを再生する再生装置および再生方法に関する。
【背景技術】
【０００２】
光ディスク、磁気ディスク、光磁気ディスク等の高密度記録媒体における記録データの記録および読取の信頼性を向上させるための技術として、ディフェクト管理がある。すなわち、記録媒体上に存在する傷もしくは塵埃、または記録媒体の劣化等（これらを総じて「ディフェクト」と呼ぶ。）が存在するときには、そのディフェクトが存在する場所に記録すべきデータまたは記録されたデータを、記録媒体上の他の領域（これを「スペアエリア」と呼ぶ。）に記録する。このように、ディフェクトにより記録不全または読取不全となるおそれがある記録データをスペアエリアに退避させることにより、記録データの記録および読取の信頼性を向上させることができる（特開平１１−１８５３９０号公報参照）。
【０００３】
一般に、ディフェクト管理を行うために、ディフェクトリストを作成する。ディフェクトリストには、記録媒体上に存在するディフェクトの位置を示すアドレス情報と、ディフェクトが存在する場所に記録すべきであったデータまたは記録されていたデータを退避させたスペアエリアの場所（例えばスペアエリア内の記録位置）を示すアドレス情報とが記録される。
【０００４】
一般に、ディフェクトリストの作成は、記録媒体をイニシャライズないしフォーマットするときに行われる。また、ディフェクトリストの作成は、記録データを当該記録媒体に記録し、かかる記録データをベリファイすることによりディフェクトが存在する場所を発見したときなどにも行われる。記録データの記録または再生により、ディフェクトが存在する場所を検出する度にディフェクトリストの作成または更新が行われる。
【０００５】
記録データを記録媒体に記録するときには、ディフェクトリストを参照する。これにより、ディフェクトの存在する場所を避けながら記録データを記録媒体に記録することができる。一方、記録媒体に記録された記録データを再生するときにも、ディフェクトリストを参照する。これにより、通常の記録領域に記録された記録データと、ディフェクトの存在によりスペアエリアに記録されている記録データとをディフェクトリストに基づいて確実に読み取ることができる。
【０００６】
ディフェクトリストは、一般に、そのディフェクトリストの作成または更新の対象となった記録媒体の特定の領域に記録される。そして、そのディフェクトリストは、次回、当該記録媒体に記録された記録データを再生するとき、または当該記録媒体に記録データを書き換えまたは追記するときに、当該記録媒体から読み取られ、記録装置による記録作業時または再生装置による再生作業時に参照される。
【０００７】
【特許文献１】特開平１１−１８５３９０号公報
【発明の開示】
【発明が解決しようとする課題】
【０００８】
ところで、ディフェクトリストは記録媒体の特定の領域に記録される。例えばブルーレーザーを用いた書換可能（リライタブル）な光ディスクでは、ディフェクトリストは、ディスク上のリードインエリアまたはリードアウトエリアに確保された所定の領域（以下、これらをそれぞれ「ディフェクト管理エリア」と呼ぶ。）内に記録される。
【０００９】
上述したように、ディフェクトリストは、記録データの記録・書換が行われ、ディフェクトが存在する場所を発見したとき等に更新される。そして、ディフェクトリストは、記録データの記録・書換により更新される度に、当該記録・書換の対象となっている記録媒体のディフェクト管理エリアに上書きされる。すなわち、ディフェクト管理エリア内のディフェクトリストは、ディフェクトリストが更新されるごとに書き換えられる。
【００１０】
ところで、このようにディフェクトリストを書き換えることによってディフェクトリストの更新記録を実現することができるのは、記録媒体が書換可能な場合に限られる。記録媒体がいわゆる追記型記録媒体、例えばライトワンス型光ディスクである場合には、ディフェクトリストの更新記録を実現するために別の方法を用いる必要がある。例えば、ディフェクトリストの更新記録を実現する方法として、ディフェクトリストが更新される度に、その更新されたディフェクトリストを、追記型記録媒体の未記録の新たな領域に追記する方法が考えられる。
【００１１】
しかし、この方法によれば、ディフェクトリストが更新される度に、その更新されたディフェクトリストを追記するための領域を確保する必要がある。また、ディフェクトリストが更新される回数を予め予測しておき、その回数分のディフェクトリストを記録できる広範囲のディフェクト管理エリアを予め確保しておく必要がある。いずれにしても、追記型記録媒体においてディフェクトリストの更新記録を実現するためには、ディフェクトリストの書換が可能な場合と比較して、ディフェクトリストを記録するための領域（ディフェクト管理エリア）を広範囲に確保する必要がある。
【００１２】
この結果、追記型記録媒体のデータ構造が、書換型記録媒体のデータ構造と異なってしまい、記録媒体に記録されたデータを読み取ることに関して相互に互換性がとれなくなるという問題がある。例えば、リードインエリア内のディフェクト管理エリアを広くすると、リードインエリアが拡張し、追記型記録媒体と書換型記録媒体とでリードインエリアの範囲が異なってしまう。この結果、双方の記録媒体間で互換性がとれなくなり、例えば既存の書換型記録媒体用のドライブ装置で、追記型記録媒体を再生できないといった問題が生じ得る。
【００１３】
本発明は上記に例示したような問題点に鑑みなされたものであり、本発明の課題は、ディフェクト管理機能を備え、書換型記録媒体と互換性のある追記型記録媒体、その追記型記録媒体に記録データを記録する記録装置および記録方法、並びにその追記型記録媒体に記録された記録データを再生する再生装置および再生方法を提供することにある。
【課題を解決するための手段】
【００１４】
上記課題を解決するために本発明の追記型記録媒体は、記録データを記録するためのデータエリアと、前記データエリアのディフェクト管理情報を記録するための確定的ディフェクト管理エリアを含み、前記データエリアへの記録・読取を制御する情報を記録するための制御情報記録エリアと、前記データエリアのディフェクト管理情報を一時的に記録するための複数の一時的ディフェクト管理エリアと、前記複数の一時的ディフェクト管理エリアのうちの一部またはそれぞれの記録状態を示すステータス情報が記録されるステータス情報記録エリアとを備えている。
【００１５】
上記課題を解決するために本発明の記録装置は、(i)記録データを記録するためのデータエリアと、(ii)前記データエリアのディフェクト管理情報を記録するための確定的ディフェクト管理エリアを含み、前記データエリアへの記録・読取を制御する情報を記録するための制御情報記録エリアと、(iii)前記データエリアのディフェクト管理情報を一時的に記録するための複数の一時的ディフェクト管理エリアと、(iv)前記複数の一時的ディフェクト管理エリアのうちの一部またはそれぞれの記録状態を示すステータス情報が記録されるステータス情報記録エリアとを備えている追記型記録媒体に前記記録データを記録する記録装置であって、前記記録データを前記データエリアに記録する第１の記録手段と、前記ディフェクト管理情報を記憶する記憶手段と、前記記憶手段に記憶されたディフェクト管理情報を前記複数の一時的ディフェクト管理エリアのうちのいずれかに記録する第２の記録手段と、前記複数の一時的ディフェクト管理エリアのうちの一部またはそれぞれの記録状態を示すステータス情報を生成するステータス情報生成手段と、前記ステータス情報生成手段により生成されたステータス情報を前記ステータス情報記録エリアに記録する第３の記録手段と、前記記憶手段に記憶されたディフェクト管理情報を前記確定的ディフェクト管理エリアに記録する第４の記録手段とを備えている。
【００１６】
上記課題を解決するために本発明の再生装置は、(i)記録データを記録するためのデータエリアと、(ii)前記データエリアのディフェクト管理情報を記録するための確定的ディフェクト管理エリアを含み、前記データエリアへの記録・読取を制御する情報を記録するための制御情報記録エリアと、(iii)前記データエリアのディフェクト管理情報を一時的に記録するための複数の一時的ディフェクト管理エリアと、(iv)前記複数の一時的ディフェクト管理エリアのうちの一部またはそれぞれの記録状態を示すステータス情報が記録されるステータス情報記録エリアとを備えている追記型記録媒体に記録された記録データを再生する再生装置であって、前記ステータス情報記録エリアに記録されたステータス情報を読み取る第１の読取手段と、前記第１の読取手段により読み取られたステータス情報に基づいて、時間的にみて最後に記録されたディフェクト管理情報が記録されている１個の一時的ディフェクト管理エリアを認識するエリア認識手段と、前記エリア認識手段により認識された１個の一時的ディフェクト管理エリアに記録された前記ディフェクト管理情報を読み取る第２の読取手段と、前記第２の読取手段により読み取られたディフェクト管理情報に基づいて、前記データエリアに記録された前記記録データを再生する再生手段とを備えている。
【００１７】
上記課題を解決するために本発明の第１コンピュータプログラムは、コンピュータを上述した本発明の記録装置（但し、その各種態様も含む）として機能させる。
【００１８】
上記課題を解決するために本発明の第２コンピュータプログラムは、コンピュータを上述した本発明の再生装置（但し、その各種態様も含む）として機能させる。
【００１９】
コンピュータ読取可能な媒体内の第１コンピュータプログラム製品は上記課題を解決するために、コンピュータにより実行可能なプログラム命令を明白に具現化し、該コンピュータを、上述した本発明の記録装置（但し、その各種態様も含む）として機能させる。
【００２０】
コンピュータ読取可能な媒体内の第２コンピュータプログラム製品は上記課題を解決するために、コンピュータにより実行可能なプログラム命令を明白に具現化し、該コンピュータを、上述した本発明の再生装置（但し、その各種態様も含む）として機能させる。
【００２１】
本発明の第１又は第２コンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の記録装置又は再生装置を比較的容易に実施可能となる。更に具体的には、当該コンピュータプログラム製品は、コンピュータを上述した本発明の記録装置又は再生装置として機能させるコンピュータ読取可能なコード（或いはコンピュータ読取可能な命令）から構成されてよい。
【００２２】
上記課題を解決するために本発明の記録方法は、(i)記録データを記録するためのデータエリアと、(ii)前記データエリアのディフェクト管理情報を記録するための確定的ディフェクト管理エリアを含み、前記データエリアへの記録・読取を制御する情報を記録するための制御情報記録エリアと、(iii)前記データエリアのディフェクト管理情報を一時的に記録するための複数の一時的ディフェクト管理エリアと、(iv)前記複数の一時的ディフェクト管理エリアのうちの一部またはそれぞれの記録状態を示すステータス情報が記録されるステータス情報記録エリアとを備えている追記型記録媒体に前記記録データを記録する記録方法であって、前記記録データを前記データエリアに記録する第１の記録工程と、前記ディフェクト管理情報を作成または更新するディフェクト管理情報作成工程と、前記ディフェクト管理情報作成工程において作成または更新されたディフェクト管理情報を前記複数の一時的ディフェクト管理エリアのうちのいずれかに記録する第２の記録工程と、前記複数の一時的ディフェクト管理エリアのうちの一部またはそれぞれの記録状態を示すステータス情報を生成するステータス情報生成工程と、前記ステータス情報生成工程において生成されたステータス情報を前記ステータス情報記録エリアに記録する第３の記録工程と、前記追記型記録媒体に対しファイナライズを行うファイナライズ工程と、前記ファイナライズ工程においてファイナライズが行われるときに、前記ディフェクト管理情報作成工程において作成または更新されたディフェクト管理情報を前記確定的ディフェクト管理エリアに記録する第４の記録工程とを備えている。
【００２３】
上記課題を解決するために本発明の再生方法は、(i)記録データを記録するためのデータエリアと、(ii)前記データエリアのディフェクト管理情報を記録するための確定的ディフェクト管理エリアを含み、前記データエリアへの記録・読取を制御する情報を記録するための制御情報記録エリアと、(iii)前記データエリアのディフェクト管理情報を一時的に記録するための複数の一時的ディフェクト管理エリアと、(iv)前記複数の一時的ディフェクト管理エリアのうちの一部またはそれぞれの記録状態を示すステータス情報が記録されるステータス情報記録エリアとを備えている追記型記録媒体に記録された前記記録データを再生する再生方法であって、前記追記型記録媒体がファイナライズ済みであるか否かを検出するファイナライズ検出手段と、前記追記型記録媒体がファイナライズ済みであるときには、前記確定的ディフェクト管理エリアに記録された前記ディフェクト管理情報を読み取り、これを記憶手段に記憶させる第１の読取工程と、前記追記型記録媒体がファイナライズ済みでないときには、前記ステータス情報記録エリアに記録されたステータス情報を読み取る第２の読取工程と、前記第２の読取工程において読み取られたステータス情報に基づいて、時間的にみて最後に記録されたディフェクト管理情報が記録されている１個の一時的ディフェクト管理エリアを認識するエリア認識工程と、前記エリア認識工程において特定された１個の一時的ディフェクト管理エリアに記録された前記ディフェクト管理情報を読み取る第３の読取工程と、前記第３の読取工程において読み取られたディフェクト管理情報に基づいて、前記データエリアに記録された前記記録データを再生する再生工程とを備えている。
【００２４】
本発明のこのような作用、及び他の利得は次に説明する実施形態及び実施例から明らかにされる。
【発明を実施するための最良の形態】
【００２５】
以下、本発明の実施の形態を図面に基づいて説明する。
【００２６】
（追記型記録媒体の実施形態）
本発明の追記型記録媒体の実施形態について図面を参照しながら説明する。なお、本発明の実施形態の説明に用いる図面は、本発明の記録媒体、記録装置または再生装置の構成要素等を、その技術思想を説明する限りにおいて具体化したものであり、各構成要素等の形状、大きさ、位置、接続関係などは、これに限定されるものではない。
【００２７】
図１は本発明の実施形態である追記型記録媒体１０の記録構造を示している。記録媒体１０は、ディスク状の記録媒体である。図１中の左側は記録媒体の内周側であり、右側は記録媒体の外周側である。なお、本発明の追記型記録媒体の形状はディスク状に限られない。本発明は、例えばカード状の記録媒体など、他の形状の記録媒体にも適用することができる。また、本発明は２層ディスクにも適用することができる。また、本発明の追記型記録媒体の記録方式は限定されない。本発明は、例えば、光、磁気、光磁気、相変化、誘電体の分極方向または近接場光などを利用した記録媒体に適用することができる。
【００２８】
記録媒体１０は、データないし情報を各位置に１度のみ記録可能な追記型（ライトワンス型）の記録媒体である。
【００２９】
記録媒体１０は、図１に示すように、データエリア１１、制御情報記録エリア１２、確定的ディフェクト管理エリア１３、複数の一時的ディフェクト管理エリア１４Ａ、１４Ｂ、１４Ｃ、およびステータス情報記録エリア１５を備えている。
【００３０】
図１に示すように、確定的ディフェクト管理エリア１３、ステータス情報記録エリア１５および一時的ディフェクト管理エリア１４Ａは、制御情報記録エリア１２内に配置されている。一時的ディフェクト管理エリア１４Ｂは、制御情報記録エリア１２とデータエリア１１との間に配置されている。一時的ディフェクト管理エリア１４Ｃは、データエリア１１の外周側に配置されている。なお、確定的ディフェクト管理エリア１３が制御情報記録エリア１２内に配置されていることを除き、これらエリアの配置は限定されない。例えば、ステータス情報記録エリアを制御情報記録エリア１２の外に配置してもよいし、一時的ディフェクト管理エリア１４Ａを制御情報記録エリア１２の外に配置してもよい。しかし、これらのエリアを図１に示すように配置することにより、有利な効果を得ることができる。この有利な効果については後述する。
【００３１】
データエリア１１は、記録データを記録するためのエリアである。記録データは、主として再生または実行の対象となるデータであり、例えば画像データ、音声データ、文書データ、コンテンツデータまたはコンピュータプログラムなどが含まれる。
【００３２】
制御情報記録エリア１２は、制御情報を記録するためのエリアである。制御情報は、データエリア１１への記録・読取を制御するための情報であり、例えば、記録媒体の属性・種類を示す情報、記録データの記録アドレスを管理するための情報、ドライブ装置を制御するための情報、ディフェクト管理を行うための情報などが含まれる。制御情報記録エリア１２は、例えばリードインエリアまたはリードアウトエリアである。
【００３３】
確定的ディフェクト管理エリア１３は、データエリア１１のディフェクト管理情報を記録するためのエリアである。一時的ディフェクト管理エリア１４Ａ、１４Ｂ、１４Ｃは、それぞれデータエリア１１のディフェクト管理情報を一時的に記録するためのエリアである。
【００３４】
ディフェクト管理情報とは、ディフェクト管理に用いられる情報である。ディフェクト管理とは、記録媒体１０内または記録媒体１０上に傷、塵埃または劣化等のディフェクトが存在するときに、そのディフェクトが存在する場所を避けて記録データを記録すると共に、本来そのディフェクトが存在する場所に記録すべきであった記録データ、またはその場所に記録された記録データを記録媒体１０上のスペアエリアに記録するといったものである。また、記録媒体１０上に記録された記録データを再生するときに、ディフェクトの存在する位置を認識し、ディフェクトの存在する位置に本来記録されるべきであったまたは記録されていた記録データを、スペアエリアから読み取るといった処理もディフェクト管理の一環として行われるものである。
【００３５】
ディフェクト管理には、ディフェクトリストが用いられる。ディフェクトリストには、記録媒体１０上においてディフェクトが存在する位置を示すアドレス情報と、当該ディフェクトが存在する位置に本来記録すべきまたは記録されていた記録データが代替的に記録されている位置（スペアエリア内の位置）を示すアドレス情報とが記録されている。ディフェクト管理情報は、このようなディフェクトリストを含んでいる。
【００３６】
ディフェクト管理情報は、例えば、記録媒体１０をイニシャライズするとき、または記録媒体１０に記録データを記録するとき（例えばベリファイのとき）に作成される。また、ディフェクトの存在およびその位置は個々の記録媒体ごとに異なる。したがって、ディフェクト管理情報も個々の記録媒体ごとに異なる。このため、記録媒体１０について作成されたディフェクト管理情報は、当該記録媒体１０に記録される。例えば、記録媒体１０のイニシャライズが完了したとき、または記録データの記録が完了したときに、ディフェクト管理情報は、記録媒体１０に記録される。
【００３７】
ディフェクトは記録媒体１０の使用を継続するのに伴って変化し、または増加する。例えば、記録媒体の使用途中に記録面に指紋が付くといったことはよくあることである。このため、ディフェクト管理情報は、記録媒体１０に対して記録・再生を行う機会がある度に更新される。例えば、記録媒体１０に対して追記または再生を行うとき、記録媒体１０に記録されたディフェクト管理情報が読み取られ、このディフェクト管理情報に含まれるディフェクトリストに新たなディフェクトのアドレス情報等が追加される。このようにして更新されたディフェクト管理情報は、例えば追記または再生が完了したときに、記録媒体１０に再び記録される。
【００３８】
上述したように、確定的ディフェクト管理エリア１３および一時的ディフェクト管理エリア１４Ａ、１４Ｂ、１４Ｃは、いずれもディフェクト管理情報を記録するためのエリアであるという点で、両者は共通している。しかし、確定的ディフェクト管理エリア１３はディフェクト管理情報を確定的に記録するためのエリアであるのに対し、一時的ディフェクト管理エリア１４Ａ、１４Ｂ、１４Ｃはディフェクト管理情報を一時的に記録するためのエリアである点で、両者は異なる。
【００３９】
ディフェクト管理情報の更新が予定されている場合には、ディフェクト管理情報は、一時的ディフェクト管理エリア１４Ａ、１４Ｂ、１４Ｃのいずれかに記録される。ディフェクト管理情報の更新が予定されている場合とは、例えば、記録媒体１０がファイナライズされていない場合である。
【００４０】
ディフェクト管理情報の更新が不要または不可能となるときには、ディフェクト管理情報は、確定的ディフェクト管理エリア１３に記録される。ディフェクト管理情報の更新が不要または不可能となるときとは、例えば、記録媒体１０がファイナライズされるときである。
【００４１】
図１に示すように、一時的ディフェクト管理エリア１４Ａ、１４Ｂ、１４Ｃのサイズの合計は、確定的ディフェクト管理エリア１３と比較して大きい。したがって、一時的ディフェクト管理エリア１４Ａ、１４Ｂ、１４Ｃには、多数のディフェクト管理情報を記録することができる。これにより、ディフェクト管理情報の更新可能回数を増やすことができる。
【００４２】
すなわち、記録媒体１０は追記型の記録媒体であるため、情報を上書きすることができない。そのため、ディフェクト管理情報は、それが更新される度に、一時的ディフェクト管理エリアに追記される。その結果、ディフェクト管理情報が数度更新された場合には、複数のディフェクト管理情報が一時的ディフェクト管理エリアにそれぞれ残存する。そのため、ディフェクト管理情報の更新可能回数を増やすためには、ディフェクト管理情報の追記可能回数を増やす必要があり、そのためには、一時的ディフェクト管理エリアのサイズを拡大して、多数のディフェクト管理情報の追記を可能にする必要がある。本実施形態によれば、一時的ディフェクト管理エリア１４Ａ、１４Ｂ、１４Ｃのサイズの合計が大きいので、多数のディフェクト管理情報の追記が可能であり、よって、ディフェクト管理情報の更新可能回数を増やすことができるのである。
【００４３】
また、一時的ディフェクト管理エリアは、３個の一時的ディフェクト管理エリア１４Ａ、１４Ｂ、１４Ｃに分割され、これらは記録媒体１０上に分散して配置されている。これにより、記録データおよび制御情報を記録するためのエリアを維持しながら、一時的ディフェクト管理エリアを確保することができる。例えば、既存の規格上、データエリア１１および制御情報記録エリア１２が規定されている場合でも、記録媒体上に散在する空きエリアなど（例えば自由に使用することが許されているエリア）を、一時的ディフェクト管理エリア１４Ａ、１４Ｂ、１４Ｃとして用いることができる。なお、一時的ディフェクト管理エリアの個数は、２個以上であればよい。
【００４４】
一方、確定的ディフェクト管理エリア１３は、一時的ディフェクト管理エリア１４Ａ、１４Ｂ、１４Ｃと比較して小さいサイズであり、その個数は１個である。なぜなら、確定的ディフェクト管理エリア１３には、例えばファイナライズ時に確定された１個のディフェクト管理情報を記録することができれば十分だからである。なお、確定的ディフェクト管理エリアを若干大きく設定し、または複数の確定的ディフェクト管理エリアを設け、確定されたディフェクト管理情報を確定的ディフェクト管理エリアに反復的に２回以上記録する構成としてもよい。これにより、ディフェクト管理情報の記録および再生の確実性（ロバストネス：Robustness）を高めることができる。
【００４５】
また、確定的ディフェクト管理エリア１３は、制御情報記録エリア１２内に配置されている。これにより、追記型記録媒体１０と一般の書換型記録媒体との間の互換性をとることができる。
【００４６】
すなわち、ディフェクト管理情報は制御情報の一種である。したがって、ディフェクト管理情報は、制御情報を記録するためのエリア、すなわち制御情報記録エリア内に記録することが望ましく、よって、ディフェクト管理エリアは制御情報記録エリア内に配置することが望ましい。一般に普及している書換型記録媒体もディフェクト管理エリアを制御情報記録エリア内に配置しているものが多い。したがって、本実施形態によれば、確定的ディフェクト管理エリア１３を制御記録情報エリア１２内に配置し、確定されたディフェクト管理情報を確定的ディフェクト管理エリア１３に記録することにより、追記型記録媒体１０と一般的な書換型記録媒体との互換性をとることができるのである。これにより、追記型記録媒体１０を一般の書換型記録媒体用のドライブ装置を用いて再生することが可能となる。
【００４７】
ステータス情報記録エリア１５は、一時的ディフェクト管理エリア１４Ａ、１４Ｂ、１４Ｃのうちの一部またはそれぞれの記録状態を示すステータス情報が記録されるエリアである。ステータス情報記録エリア１５内に記録されたステータス情報を参照することにより、一時的ディフェクト管理エリア１４Ａ、１４Ｂ、１４Ｃの一部または全部に記録されたディフェクト管理情報のうち、時間的にみて最後に記録されたディフェクト管理情報を迅速に特定することができ、これを迅速に読み取ることが可能となる。なお、以下、複数の一時的ディフェクト管理エリアの一部または全部に記録されたディフェクト管理情報のうち、時間的にみて最後に記録されたディフェクト管理情報を「ラストディフェクト管理情報」という。
【００４８】
ラストディフェクト管理情報は、記録媒体１０に記録された複数のディフェクト管理情報の中で、最新のディフェクト情報である。追記型記録媒体用の記録装置または再生装置によりディフェクト管理を行うためには、記録媒体１０から最新のディフェクト管理情報、すなわちラストディフェクト管理情報を探し出し、これを読み取る必要がある。ラストディフェクト管理情報を探し出す方法としては、一時的ディフェクト管理エリア１４Ａ、１４Ｂ、１４Ｃをすべてサーチする方法もある。しかし、一時的ディフェクトエリア１４Ａ、１４Ｂ、１４Ｃは記録媒体１０上に分散して配置されているため、一時的ディフェクト管理エリア１４Ａ、１４Ｂ、１４Ｃをすべてサーチするとすれば、時間がかかる（例えばシーク時間）。そこで、本実施例では、記録媒体１０のステータス情報記録エリア１５にステータス情報を記録し、このステータス情報に基づいて、ラストディフェクト管理情報が記録された１個の一時的ディフェクト管理エリアを認識し、当該１個のディフェクト管理エリア内をサーチするだけで、ラストディフェクト管理情報をきわめて短時間で探し出すことを可能にしている。
【００４９】
ステータス情報の具体的な内容は、ラストディフェクト管理情報の迅速な特定を可能にする情報であれば限定されない。しかし、ステータス情報を以下のような内容の情報とすれば、ラストディフェクト管理情報の迅速な特定を効率的に実現することができる。
【００５０】
すなわち、ステータス情報は、一時的ディフェクト管理エリア１４Ａ、１４Ｂ、１４Ｃの一部または全部に記録されたディフェクト管理情報のうち、時間的にみて最後に記録されたディフェクト管理情報（ラストディフェクト管理情報）が記録されている１個の一時的ディフェクト管理エリアを示す情報を含むことが望ましい。以下、ステータス情報のこの態様を「第１態様」という。
【００５１】
以下、第１態様のステータス情報に基づいてラストディフェクト管理情報を読み取る具体例を説明する。図２ないし図４は、記録媒体１０にディフェクト管理情報が追記されていく様子を示している。なお、図２ないし図４では、説明の便宜上、データエリア１１、制御情報記録エリア１２および確定的ディフェクト管理エリア１３の表示を省略している。図２ないし図４に示す具体例では、ディフェクト管理情報の更新が行われる度に、更新されたディフェクト管理情報を、前回記録されたディフェクト管理情報の隣に連続的に追記する方法を採用している。また、ディフェクト管理情報を、まず、一時的ディフェクト管理エリア１４Ａの先頭に記録し、一時的ディフェクト管理エリア１４Ａがいっぱいになると、次に、一時的ディフェクト管理エリア１４Ｂに記録し、一時的ディフェクト管理エリア１４Ｂがいっぱいになると、次に、一時的ディフェクト管理エリア１４Ｃに記録する方法を採用している。また、各一時的ディフェクト管理エリア１４Ａ、１４Ｂ、１４Ｃは、ディフェクト管理情報を３個記録すると、いっぱいになる。
【００５２】
図２に示すように、１個のディフェクト管理情報２１が一時的ディフェクト管理エリア１４Ａに記録されたときには、ディフェクト管理情報２１がラストディフェクト管理情報である。この場合、一時的ディフェクト管理エリア１４Ａを示す情報がステータス情報としてステータス情報記録エリア１５に記録される。このステータス情報を参照することにより、ラストディフェクト管理情報２１が記録された一時的ディフェクト管理エリア１４Ａを認識することができる。そして、一時的ディフェクト管理エリア１４Ａ内をサーチするだけで、ラストディフェクト管理情報２１を迅速に特定でき、これを読み取ることができる。一時的ディフェクト管理エリア１４Ｂおよび１４Ｃをサーチする必要はない。
【００５３】
図３に示すように、さらに３個のディフェクト管理情報２２ないし２４が一時的ディフェクト管理エリア１４Ａおよび１４Ｂに追記されたときには、ディフェクト管理情報２４がラストディフェクト管理情報である。この場合、一時的ディフェクト管理エリア１４Ｂを示す情報がステータス情報としてステータス情報記録エリア１５に記録される。このステータス情報を参照することにより、ラストディフェクト管理情報２４が記録された一時的ディフェクト管理エリア１４Ｂを認識することができる。そして、一時的ディフェクト管理エリア１４Ｂ内をサーチするだけで、ラストディフェクト管理情報２４を迅速に特定でき、これを読み取ることができる。一時的ディフェクト管理エリア１４Ａおよび１４Ｃをサーチする必要はない。
【００５４】
図４に示すように、さらに４個のディフェクト管理情報２５ないし２８が一時的ディフェクト管理エリア１４Ｂおよび１４Ｃに追記されたときには、ディフェクト管理情報２８がラストディフェクト管理情報である。この場合、一時的ディフェクト管理エリア１４Ｃを示す情報がステータス情報としてステータス情報記録エリア１５に記録される。このステータス情報を参照することにより、ラストディフェクト管理情報２８が記録された一時的ディフェクト管理エリア１４Ｃを認識することができる。そして、一時的ディフェクト管理エリア１４Ｃ内をサーチするだけで、ラストディフェクト管理情報２８を迅速に特定でき、これを読み取ることができる。一時的ディフェクト管理エリア１４Ａおよび１４Ｂをサーチする必要はない。
【００５５】
また、第１態様のステータス情報に代えて、ステータス情報を以下のような内容の情報としてもよい。すなわち、ステータス情報を、複数の一時的ディフェクト管理エリア１４Ａ、１４Ｂ、１４Ｃのうちの一部またはそれぞれにおける未記録領域の有無を示す情報を含む構成としてもよい。以下、ステータス情報のこの態様を「第２態様」という。
【００５６】
以下、第２態様のステータス情報に基づいてラストディフェクト管理情報を読み取る具体例を図２ないし図４を参照して説明する。
【００５７】
図２に示すように、１個のディフェクト管理情報２１が一時的ディフェクト管理エリア１４Ａに記録されたときには、ディフェクト管理情報２１がラストディフェクト管理情報である。この場合、一時的ディフェクト管理情報１４Ａ、１４Ｂ、１４Ｃのそれぞれに未記録領域があることを示す情報がステータス情報としてステータス情報記録エリア１５に記録される。一時的ディフェクト管理エリア１４Ａ、１４Ｂ、１４Ｃにディフェクト管理情報を記録する順番が予め知られていれば、ステータス情報を参照することにより、ラストディフェクト管理情報２１が記録された一時的ディフェクト管理エリア１４Ａを認識することができる。そして、一時的ディフェクト管理エリア１４Ａ内をサーチするだけで、ラストディフェクト管理情報２１を迅速に特定でき、これを読み取ることができる。一時的ディフェクト管理エリア１４Ｂおよび１４Ｃをサーチする必要はない。
【００５８】
図３に示すように、さらに３個のディフェクト管理情報２２ないし２４が一時的ディフェクト管理エリア１４Ａおよび１４Ｂに記録されたときには、ディフェクト管理情報２４がラストディフェクト管理情報である。この場合、一時的ディフェクト管理情報１４Ｂおよび１４Ｃのそれぞれに未記録領域があることを示す情報がステータス情報としてステータス情報記録エリア１５に記録される。一時的ディフェクト管理エリア１４Ａ、１４Ｂ、１４Ｃにディフェクト管理情報を記録する順番が予め知られていれば、ステータス情報を参照することにより、ラストディフェクト管理情報２４が記録された一時的ディフェクト管理エリア１４Ｂを認識することができる。そして、一時的ディフェクト管理エリア１４Ｂ内をサーチするだけで、ラストディフェクト管理情報２４を迅速に特定でき、これを読み取ることができる。一時的ディフェクト管理エリア１４Ａおよび１４Ｃをサーチする必要はない。
【００５９】
図４に示すように、さらに４個のディフェクト管理情報２５ないし２８が一時的ディフェクト管理エリア１４Ｂおよび１４Ｃに記録されたときには、ディフェクト管理情報２８がラストディフェクト管理情報である。この場合、一時的ディフェクト管理情報１４Ｃのみに未記録領域があることを示す情報がステータス情報としてステータス情報記録エリア１５に記録される。一時的ディフェクト管理エリア１４Ａ、１４Ｂ、１４Ｃにディフェクト管理情報を記録する順番が予め知られていれば、ステータス情報を参照することにより、ラストディフェクト管理情報２４が記録された一時的ディフェクト管理エリア１４Ｃを認識することができる。そして、一時的ディフェクト管理エリア１４Ｃ内をサーチするだけで、ラストディフェクト管理情報２８を迅速に特定でき、これを読み取ることができる。一時的ディフェクト管理エリア１４Ａおよび１４Ｂをサーチする必要はない。
【００６０】
なお、図２ないし図４に示す具体例では、各一時的ディフェクト管理エリア内において、その先頭から末尾に向けてディフェクト管理情報を順次並べる方法を採用している。しかし、各一時的ディフェクト管理エリア内において、その末尾から先頭に向けてディフェクト管理情報を順次並べる方法を採用してもよい。また、図２ないし図４に示す具体例では、ディフェクト管理情報を一時的ディフェクト管理エリア１４Ａ、１４Ｂ、１４Ｃの順番で追記する方法を採用している。しかし、第１態様のステータス情報を用いる場合には、ディフェクト管理情報を記録するための一時的ディフェクト管理エリアの順番は、特に決めなくてもよい。さらに、図２ないし図４に示す具体例では、１個の一時的ディフェクト管理エリアがいっぱいになったら、次の一時的ディフェクト管理エリアにディフェクト管理情報を記録する方法を採用している。しかし、第１態様のステータス情報を用いる場合には、ディフェクト管理情報を１個記録する度に、記録すべき一時的ディフェクト管理エリアを変更し、複数のディフェクト管理情報を複数の一時的ディフェクト管理エリアに分散させて記録する方法を採用してもよい。
【００６１】
以上より、記録媒体１０によれば、ディフェクト管理を実現しながら、追記型記録媒体と一般の書換型記録媒体との互換性をとることができる。さらに、比較的大きな一時的ディフェクト管理エリア１４Ａ、１４Ｂ、１４Ｃを確保でき、ディフェクト管理情報の更新可能回数を増加させることができる。さらに、データエリアおよび制御情報記録エリアを維持しながら、一時的ディフェクト管理エリア１４Ａ、１４Ｂ、１４Ｃを確保することができる。さらに、ステータス情報に基づいて一時的ディフェクト管理エリア１４Ａ、１４Ｂ、１４Ｃのいずれかに記録されたラストディフェクト管理情報を迅速に特定することができる。
【００６２】
（追記型記録媒体の各種態様）
本発明の追記型記録媒体の各種態様について説明する。上述したように、一時的ディフェクト管理エリア１４Ａ、１４Ｂ、１４Ｃの配置は限定されない。しかし、図１に示すように、一時的ディフェクト管理エリア１４Ａ、１４Ｂ、１４Ｃのうちの少なくとも１個を、制御情報記録エリア１２内に配置することが望ましい。
【００６３】
すなわち、ディフェクト管理情報は、制御情報の一種であるから、本来的には制御情報記録エリア１２内に記録することが望ましい。そうだとすれば、一時的ディフェクト管理エリア１４Ａ、１４Ｂ、１４Ｃのうちの少なくとも１個は、制御情報記録エリア１２内に記録することが望ましいのである。
【００６４】
また、一時的ディフェクト管理エリア１４Ａ、１４Ｂ、１４Ｃのうちの少なくとも１個は、制御情報記録エリア１２とデータエリア１１との間に配置することが望ましい。
【００６５】
すなわち、一時的ディフェクト管理エリア１４Ａ、１４Ｂ、１４Ｃは、上述したように、比較的大きなサイズを必要とする。したがって、例えば一時的ディフェクト管理エリア１４Ａ、１４Ｂ、１４Ｃのすべてを制御情報記録エリア１２内に配置すれば、制御情報記録エリア１２を拡大せざるを得ない。制御情報記録エリア１２を拡大すると、追記型記録媒体１０と一般の書換型記録媒体の互換性をとることが困難ないし不可能となるという不都合が生じる。一方、ディフェクト管理エリア１４Ａ、１４Ｂ、１４Ｃをデータエリア１１内に配置するのは都合が悪い。なぜなら、データエリア１１は記録データを記録するためのエリアであり、制御情報を記録するためのエリアではないからである。本実施形態によれば、一時的ディフェクト管理エリア１４Ａ、１４Ｂ、１４Ｃのうちの少なくとも１個を、制御情報記録エリア１２とデータエリア１１との間に配置する構成としたから、上記不都合は生じない。
【００６６】
また、ステータス制御記録エリア１５の配置も限定されない。しかし、ステータス情報は、制御情報の一種であるから、制御情報記録エリアに記録することが望ましい。また、ステータス情報を制御情報記録エリアに記録することにより、他の制御情報と共にステータス情報を連続的に（ピックアップを大きくジャンプさせることなく）読み取ることができ、迅速な読取を実現することができる。したがって、ステータス制御記録エリア１５は制御情報記録エリア１２内に配置することが望ましい。
【００６７】
（記録装置の第１実施形態）
本発明の記録装置の第１実施形態について説明する。図５は本発明の記録装置の第１実施形態を示している。図５に示す記録装置３０は、 (i)記録データを記録するためのデータエリアと、(ii)データエリアのディフェクト管理情報を記録するための確定的ディフェクト管理エリアを含み、データエリアへの記録・読取を制御する情報を記録するための制御情報記録エリアと、(iii)データエリアのディフェクト管理情報を一時的に記録するための複数の一時的ディフェクト管理エリアと、(iv)複数の一時的ディフェクト管理エリアのうちの一部またはそれぞれの記録状態を示すステータス情報が記録されるステータス情報記録エリアとを備えている追記型記録媒体に記録データを記録する装置である。例えば、記録装置３０は、上述した追記型記録媒体１０に記録データを記録する装置である。
【００６８】
記録装置３０は、図５に示すように、第１の記録手段３１、記憶手段３２、第２の記録手段３３、ステータス情報生成手段３４、第３の記録手段３５および第４の記録手段３６を備えている。
【００６９】
第１の記録手段３１は、記録データをデータエリアに記録する手段である。第１の記録手段３１は、例えば記録媒体が光ディスクである場合には、光ピックアップとそれを制御するためのコントローラ等によって実現することができる。なお、第１の記録手段３１の具体的なハードウェア構成は、記録媒体が採用する記録方式（光、磁気、光磁気、相変化、誘電体の分極方向または近接場光など）に応じて任意に選択することができ、例えば磁気ヘッドまたはプローブでもよい。
【００７０】
記憶手段３２は、ディフェクト管理情報を記憶する手段である。記憶手段３２は、例えばメモリ等により実現することができる。
【００７１】
第２の記録手段３３は、記憶手段３２に記録されたディフェクト管理情報を複数の一時的ディフェクト管理エリアのうちの１個に記録する手段である。第２の記録手段の具体的なハードウェア構成は第１の記録手段と同じでよい。
【００７２】
ステータス情報生成手段３４は、複数の一時的ディフェクト管理エリアのうちの一部またはそれぞれの記録状態を示すステータス情報を生成する手段である。
【００７３】
例えば、ステータス情報生成手段３４は、複数の一時的ディフェクト管理エリアの一部または全部に記録されたディフェクト管理情報のうち、時間的にみて最後に記録されたディフェクト管理情報が記録されている１個の一時的ディフェクト管理エリアを示す情報を含むステータス情報を生成する。このようなステータス情報の生成は、ディフェクト管理情報を複数の一時的ディフェクト管理エリアのいずれかに記録するときに、その記録した一時的ディフェクト管理エリアを認識し、この認識結果を情報として抽出することによって実現することができる。
【００７４】
また、これに代えて、ステータス情報生成手段３４を、複数の一時的ディフェクト管理エリアのうちの一部またはそれぞれにおける未記録領域の有無を示す情報を含むステータス情報を生成する構成としてもよい。このようなステータス情報の生成は、ディフェクト管理情報の記録を監視することにより、あるいは一時的ディフェクト管理エリアの記録状態を直接確認することによって実現することができる。
【００７５】
第３の記録手段３５は、ステータス情報生成手段３４により生成されたステータス情報をステータス情報記録エリアに記録する手段である。第３の記録手段３５の具体的なハードウェア構成は、第１の記録手段３１と同じでよい。
【００７６】
第４の記録手段３６は、記憶手段３２に記憶されたディフェクト管理情報を確定的ディフェクト管理エリアに記録する手段である。第４の記録手段３６の具体的なハードウェア構成は、第１の記録手段３１と同じでよい。
【００７７】
以下、記録装置３０の動作を説明する。第１の記録手段３１は、追記型記録媒体のデータエリア内に記録データを記録する。一方、記録装置３０において、当該追記型記録媒体上に存在するディフェクトの位置等を示すディフェクトリストを含むディフェクト管理情報が作成されたときには、記憶手段３２はこれを記憶する。第２の記録手段３３は、記憶手段３２に記録されたディフェクト管理情報を当該記録媒体の複数の一時的ディフェクト管理エリアのうちのいずれかに記録する。第２の記録手段３３がディフェクト管理情報を一時的ディフェクト管理エリアに記録する時期は、様々あり得るが、例えば、当該記録媒体がイニシャライズないしフォーマットされた直後、当該記録媒体に一連の記録データが記録された直後などが考えられる。第２の記録手段３３がディフェクト管理情報を複数の一時的ディフェクト管理エリアのいずれかに記録したとき、ステータス情報生成手段３４は、現時点における複数の一時的ディフェクト管理エリアのうちの一部またはそれぞれの記録状態を示すステータス情報を生成する。さらに、第３の記録手段３５は、このステータス情報を、当該記録媒体のステータス情報記録エリアに記録する。一方、第４の記録手段３６は、記憶手段３２に記録されたディフェクト管理情報を当該記録媒体の確定的ディフェクト管理エリアに記録する。第４の記録手段３６がディフェクト管理情報を確定的ディフェクト管理エリアに記録する時期は、様々あり得るが、例えば、当該記録媒体に対してファイナライズが実行されたときなどが考えられる。
【００７８】
以上より、記録装置３０によれば、ディフェクト管理を実現でき、かつ一般の書換型記録媒体との互換性を有する追記型記録媒体への記録データ、ディフェクト管理情報およびステータス情報の記録を実現することができる。特に、ステータス情報を生成し、これを記録することにより、次回の記録時または再生時において、ラストディフェクト管理情報の迅速な特定・読取を実現することができる。
【００７９】
（記録装置の第２実施形態）
本発明の記録装置の第２実施形態について説明する。図６は本発明の記録装置の第２実施形態を示している。図６に示すように、記録装置４０は、記録装置３０と同様に、第１の記録手段３１、記憶手段３２、第２の記録手段３３、ステータス情報生成手段３４、第３の記録手段３５および第４の記録手段３６を備えている。さらに、記録装置４０は、ファイナライズ手段４１および記録制御手段４２を備えている。
【００８０】
ファイナライズ手段４１は、追記型記録媒体に対しファイナライズを行う手段である。ファイナライズは、一般に、記録媒体への記録データの記録が完了した後に、当該記録媒体上の記録フォーマットを整えるといった作業を含む処理である。一般に、ファイナライズは、書換型記録媒体を再生専用型記録媒体の記録フォーマットに適合させる場合などに行われる。記録装置４０におけるファイナライズは、主として、追記型記録媒体を書換型記録媒体または再生専用型記録媒体の記録フォーマットに適合させるための処理である。
【００８１】
記録制御手段４２は、追記型記録媒体がファイナライズ前であるときにはディフェクト管理情報を複数の一時的ディフェクト管理エリアのいずれかに記録するように第２の記録手段３３を制御し、ファイナライズ手段４１により追記型記録媒体に対しファイナライズを行うときにはディフェクト管理情報を確定的ディフェクト管理エリアに記録するように第４の記録手段３６を制御する手段である。
【００８２】
以上より、記録装置４０によれば、追記型記録媒体がファイナライズ前であるときにはディフェクト管理情報を複数の一時的ディフェクト管理エリアのいずれかに記録し、ファイナライズ手段４１により追記型記録媒体に対しファイナライズを行うときにはディフェクト管理情報を確定的ディフェクト管理エリアに記録することができる。これにより、追記型記録媒体をファイナライズするときに、ディフェクト管理情報について、追記型記録媒体と一般の書換型記録媒体との互換性を確立することができる。
【００８３】
（再生装置の第１実施形態）
本発明の再生装置の第１実施形態について説明する。図７は本発明の再生装置の第１実施形態を示している。図７に示す再生装置５０は、 (i)記録データを記録するためのデータエリアと、(ii)データエリアのディフェクト管理情報を記録するための確定的ディフェクト管理エリアを含み、データエリアへの記録・読取を制御する情報を記録するための制御情報記録エリアと、(iii)データエリアのディフェクト管理情報を一時的に記録するための複数の一時的ディフェクト管理エリアと、(iv)複数の一時的ディフェクト管理エリアのうちの一部またはそれぞれの記録状態を示すステータス情報が記録されるステータス情報記録エリアとを備えている追記型記録媒体に記録された記録データを再生する装置である。例えば、再生装置５０は、上述した記録媒体１０に記録された記録データを再生する装置である。
【００８４】
再生装置５０は、図７に示すように、第１の読取手段５１、エリア認識手段５２、第２の読取手段５３および再生手段５４を備えている。
【００８５】
第１の読取手段５１は、記録媒体のステータス情報記録エリアに記録されたステータス情報を読み取る手段である。第１の読取手段５１は、例えば記録媒体が光ディスクである場合には、光ピックアップとそれを制御するためのコントローラ等によって実現することができる。なお、第１の読取手段５１の具体的なハードウェア構成は、記録媒体が採用する記録方式（光、磁気、光磁気、相変化、誘電体の分極方向または近接場光など）に応じて任意に選択することができ、例えば磁気ヘッドまたはプローブでもよい。
【００８６】
エリア認識手段５２は、第１の読取手段５１により読み取られたステータス情報に基づいて、時間的にみて最後に記録されたディフェクト管理情報（ラストディフェクト管理情報）が記録されている１個の一時的ディフェクト管理エリアを認識する手段である。
【００８７】
例えば、ステータス情報が、複数の一時的ディフェクト管理エリアの一部または全部に記録されたディフェクト管理情報のうち、時間的にみて最後に記録されたディフェクト管理情報（ラストディフェクト管理情報）が記録されている１個の一時的ディフェクト管理エリアを示す情報を含んでいる場合には、エリア認識手段５２は、当該情報に基づいて、ラストディフェクト管理情報が含まれている１個の一時的ディフェクト管理エリアを認識する。
【００８８】
また、ステータス情報が、複数の一時的ディフェクト管理エリアのうちの一部またはそれぞれにおける未記録領域の有無を示す情報を含んでいる場合には、エリア認識手段５２は、当該情報に基づいて、ラストディフェクト管理情報が含まれている１個のディフェクト管理エリアを認識する。
【００８９】
第２の読取手段５３は、エリア認識手段５２により特定された１個の一時的ディフェクト管理エリアに記録されたディフェクト管理情報を読み取る手段である。第２の読取手段５３の具体的なハードウェア構成は、第１の読取手段５１と同じでよい。
【００９０】
再生手段５４は、第２の読取手段５３により読み取られたディフェクト管理情報に基づいて、データエリアに記録された記録データを再生する手段である。再生手段５４は、データエリアに記録された記録データを読み取る記録データ読取手段を備えている。記録データ読取手段の具体的なハードウェア構成は第１の読取手段と同じでよい。さらに、再生手段５４は、例えば記録データが画像データである場合には、画像データをディスプレイに表示することが可能な画像信号に変換するデコーダを備えている。
【００９１】
以下、再生装置５０の動作を説明する。例えばすでに記録データが記録され、かつファイナライズされていない状態の追記型記録媒体が再生装置５０に装着されたとき、第１の読取手段５１は、記録媒体のステータス情報記録エリアに記録されたステータス情報を読み取る。続いて、エリア認識手段５２は、このステータス情報に基づいて、記録媒体上に存在する複数の一時的ディフェクト管理エリアの中から、ラストディフェクト管理情報が記録されている１個の一時的ディフェクト管理エリアを認識する。続いて、第２の読取手段５３は、当該一時的ディフェクト管理エリアに記録されたラストディフェクト管理情報を読み取る。続いて、再生手段５４は、このラストディフェクト管理情報に基づいてディフェクト管理を行いながら、記録媒体のデータエリアに記録された記録データを読み取り、これを再生する。
【００９２】
以上より、再生装置５０によれば、ステータス情報に基づいてラストディフェクト管理情報を迅速に特定し、これを迅速に読み取ることができる。これにより、ディフェクト管理処理および再生処理を迅速に行うことができる。
【００９３】
（再生装置の第２実施形態）
本発明の再生装置の第２実施形態について説明する。図８は本発明の再生装置の第２実施形態を示している。図８に示すように、再生装置６０は、再生装置５０と同様に、第１の読取手段５１、エリア認識手段５２、第２の読取手段５３および再生手段５４を備えている。さらに、再生装置６０は、ファイナライズ検出手段６１、第３の読取手段６２および読取制御手段６３を備えている。
【００９４】
ファイナライズ検出手段６１は、追記型記録媒体がファイナライズ済みであるか否かを検出する手段である。追記型記録媒体がファイナライズ済みであるか否かは、例えば追記型記録媒体の制御情報記録エリア等に記録された情報を参照することにより検出することができる。
【００９５】
第３の読取手段６２は、確定的ディフェクト管理エリアに記録されたディフェクト管理情報を読み取る手段である。第３の読取手段６２の具体的なハードウェア構成は、第１の読取手段５１と同じでよい。
【００９６】
読取制御手段６３は、ファイナライズ検出手段６１による検出結果に基づき、追記型記録媒体がファイナライズ済みであるときには確定的ディフェクト管理エリアに記録されたディフェクト管理情報を読み取るように第３の読取手段６２を制御し、追記型記録媒体がファイナライズ済みでないときにはラストディフェクト管理情報が記録された１個の一時的ディフェクト管理エリアに記録されたディフェクト管理情報を読み取るように第２の読取手段５３を制御する手段である。
【００９７】
以上より、再生装置６０によれば、記録媒体がファイナライズ済みであるときには、確定的ディフェクト管理エリアに記録されたディフェクト管理情報を読み取り、記録媒体がファイナライズ済みでないときには、一時的ディフェクト管理エリアのいずれかに記録されたラストディフェクト管理情報を読み取ることができる。これにより、常に最新のディフェクト管理情報を読み取り、それに基づいてディフェクト管理を行うことができる。
【００９８】
なお、以上のような実施形態は、専用の装置としてハードウェアと一体的に構成する形態で実現してもよいし、コンピュータにプログラムを読み込ませることによって実現してもよい。
【００９９】
（記録方法の実施形態）
本発明の記録方法の実施形態について説明する。本発明の実施形態である記録方法は、(i)記録データを記録するためのデータエリアと、(ii)データエリアのディフェクト管理情報を記録するための確定的ディフェクト管理エリアを含み、データエリアへの記録・読取を制御する情報を記録するための制御情報記録エリアと、(iii)データエリアのディフェクト管理情報を一時的に記録するための複数の一時的ディフェクト管理エリアと、(iv)複数の一時的ディフェクト管理エリアのうちの一部またはそれぞれの記録状態を示すステータス情報が記録されるステータス情報記録エリアとを備えている追記型記録媒体に記録データを記録する方法である。例えば、本発明の実施形態である記録方法は、上述した記録媒体１０に記録データを記録する方法である。
【０１００】
本発明の実施形態である記録方法は、記録データをデータエリアに記録する第１の記録工程と、ディフェクト管理情報を作成または更新するディフェクト管理情報作成工程と、ディフェクト管理情報作成工程において作成または更新されたディフェクト管理情報を複数の一時的ディフェクト管理エリアのうちのいずれかに記録する第２の記録工程と、複数の一時的ディフェクト管理エリアのうちの一部またはそれぞれの記録状態を示すステータス情報を生成するステータス情報生成工程と、ステータス情報生成工程において生成されたステータス情報をステータス情報記録エリアに記録する第３の記録工程と、追記型記録媒体に対しファイナライズを行うファイナライズ工程と、ファイナライズ工程においてファイナライズが行われるときに、ディフェクト管理情報作成工程において作成または更新されたディフェクト管理情報を確定的ディフェクト管理エリアに記録する第４の記録手段とを備えている。
【０１０１】
この記録方法において、記録媒体をファイナライズする前の段階では、ディフェクト管理情報を複数の一時的ディフェクト管理エリアのうちのいずれかに記録する。その後、現段階における、複数の一時的ディフェクト管理エリアのうちの一部またはそれぞれの記録状態を示すステータス情報を生成する。続いて、そのステータス情報をステータス情報記録エリアに記録する。これにより、次回、当該記録媒体に対して記録または再生を行うときには、当該記録媒体に記録されたステータス情報に基づいて、ラストディフェクト管理情報の迅速な特定・読取が可能となる。
【０１０２】
（再生方法の実施形態）
本発明の再生方法の実施形態について説明する。本発明の実施形態である再生方法は、(i)記録データを記録するためのデータエリアと、(ii)データエリアのディフェクト管理情報を記録するための確定的ディフェクト管理エリアを含み、データエリアへの記録・読取を制御する情報を記録するための制御情報記録エリアと、(iii)データエリアのディフェクト管理情報を一時的に記録するための複数の一時的ディフェクト管理エリアと、(iv)複数の一時的ディフェクト管理エリアのうちの一部またはそれぞれの記録状態を示すステータス情報が記録されるステータス情報記録エリアとを備えている追記型記録媒体に記録された記録データを再生する方法である。本発明の実施形態である再生方法は、例えば、上述した記録媒体１０に記録された記録データを再生する方法である。
【０１０３】
本発明の実施形態である再生方法は、追記型記録媒体がファイナライズ済みであるか否かを検出するファイナライズ検出手段と、追記型記録媒体がファイナライズ済みであるときには、確定的ディフェクト管理エリアに記録されたディフェクト管理情報を読み取り、これを記憶手段に記憶させる第１の読取工程と、追記型記録媒体がファイナライズ済みでないときには、ステータス情報記録エリアに記録されたステータス情報を読み取る第２の読取工程と、第２の読取工程において読み取られたステータス情報に基づいて、時間的にみて最後に記録されたディフェクト管理情報が記録されている１個の一時的ディフェクト管理エリアを認識するエリア認識工程と、エリア認識工程において認識された１個の一時的ディフェクト管理エリアに記録されたディフェクト管理情報を読み取る第３の読取工程と、第３の読取工程において読み取られたディフェクト管理情報に基づいて、データエリアに記録された記録データを再生する再生工程とを備えている。
【０１０４】
この再生方法において、記録媒体がファイナライズ済みでないときには、ステータス情報を読み取り、このステータス情報に基づいて、ラストディフェクト管理情報が記録された１個の一時的ディフェクト管理エリアを認識する。続いて、この１個の一時的ディフェクト管理エリアに記録されたラストディフェクト管理情報を読み取る。そして、このラストディフェクト管理情報に基づいて、記録データの再生を行う。この再生方法によれば、ステータス情報に基づいて、記録媒体上に存在する複数の一時的ディフェクト管理エリアの中から、ラストディフェクト管理情報が記録された１個の一時的ディフェクト管理エリアを認識することができ、ラストディフェクト管理情報を迅速に読み取ることができる。
【実施例】
【０１０５】
（追記型記録媒体の第１実施例）
本発明の追記型記録媒体の第１実施例について説明する。第１実施例は、本発明の追記型記録媒体を１層の追記型光ディスクに適用した例である。図９は当該追記型光ディスク１００の記録構造を示している。図９中の上段左側が光ディスク１００の内周側であり、下段右側が光ディスク１００の外周側である。
【０１０６】
光ディスク１００は、図９に示すように、ユーザデータエリア１０１、スペアエリア１０２Ａ、１０２Ｂ、リードインエリア１０３、リードアウトエリア１０４、確定的ディフェクト管理エリア１０５、一時的ディフェクト管理エリア１０６Ａ、１０６Ｂ、１０６Ｃおよびステータス情報記録エリア１０７を備えている。
【０１０７】
ユーザデータエリア１０１、スペアエリア１０２Ａ、１０２Ｂは、記録データを記録するためのエリアである。ユーザデータエリア１０１は記録データを記録するための主たるエリアである。スペアエリア１０２Ａおよび１０２Ｂは、ユーザデータエリア１０１内のディフェクトから記録データを退避させるための代替記録エリアである。すなわち、ユーザデータエリア１０１にディフェクトが存在するときに、そのディフェクトが存在する場所に記録すべきであった記録データまたはその場所に記録されていた記録データは、スペアエリア１０２Ａまたは１０２Ｂに記録される。スペアエリア１０２Ａはユーザデータエリア１０１の内周側に配置され、スペアエリア１０２Ｂはユーザデータエリア１０１の外周側に配置されている。ユーザデータエリア１０１、スペアエリア１０２Ａ、１０２Ｂによりデータゾーン１０８が形成される。
【０１０８】
リードインエリア１０３およびリードアウトエリア１０４は、制御情報を記録するためのエリアである。リードインエリア１０３は光ディスク１００の最内周側に配置されている。リードアウトエリア１０４は光ディスク１００の最外周側に配置されている。
【０１０９】
確定的ディフェクト管理エリア１０５は、ディフェクト管理情報を確定的に記録するためのエリアである。光ディスク１００をファイナライズするとき、ディフェクト管理情報は、確定的ディフェクト管理エリア１０５に記録される。確定的ディフェクト管理エリア１０５は、リードインエリア１０３内に配置されている。
【０１１０】
一時的ディフェクト管理エリア１０６Ａ、１０６Ｂ、１０６Ｃは、ディフェクト管理情報を一時的に記録するためのエリアである。光ディスク１００をファイナライズする前の段階では、ディフェクト管理情報は、一時的ディフェクト管理エリア１０６Ａ、１０６Ｂ、１０６Ｃのいずれかに記録される。一時的ディフェクト管理エリアは、光ディスク１００上に３個存在する。第１の一時的ディフェクト管理エリア１０６Ａは、リードインエリア１０３内に配置されている。第２の一時的ディフェクト管理エリア１０６Ｂは、リードインエリア１０３とデータゾーン１０８との間に配置されている。第３の一時的ディフェクト管理エリア１０６Ｃは、データゾーン１０８とリードアウトエリア１０４との間に配置されている。
【０１１１】
ステータス情報記録エリア１０７は、ステータス情報を記録するためのエリアである。ステータス情報記録エリア１０７は、リードインエリア１０３内に配置されている。
【０１１２】
以上より、光ディスク１００によれば、確定的ディフェクト管理エリア１０５をリードインエリア１０３内に設けたことにより、追記型光ディスク１００と一般の書換型光ディスクとの間で互換性をとりつつ、光ディスク１００に対するディフェクト管理を実現することができる。
【０１１３】
また、一時的ディフェクト管理エリア１０６Ｂをリードインエリア１０３とデータゾーン１０８との間に配置し、一時的ディフェクト管理エリア１０６Ｃをデータゾーン１０８とリードアウトエリア１０４との間に配置したことにより、光ディスク１００と一般の書換型光ディスクとの間の互換性をとりつつ、比較的大きなサイズの一時的ディフェクト管理エリアを設けることができる。これにより、ディフェクト管理情報の更新可能回数を増加させることができる。
【０１１４】
さらに、一時的ディフェクト管理エリアを、３個の一時的ディフェクト管理エリア１０６Ａ、１０６Ｂ、１０６Ｃに分割し、これらを光ディスク１００上に分散させて配置したことにより、光ディスクに関する既存の記録構造を大きく変更せずに、比較的大きなサイズを有する一時的ディフェクト管理エリアを設けることができる。これにより、ディフェクト管理情報の更新可能回数を増加させることができる。
【０１１５】
なお、一時的ディフェクト管理エリアの個数は３個に限らず、２個でもよく、４個以上でもよい。また、一時的ディフェクト管理エリアの配置も限定されない。一時的ディフェクト管理エリアをスペアエリアとユーザデータエリアとの間に配置してもよい。また、一時的ディフェクト管理エリアをリードアウトエリアの外周側に配置してもよい。
【０１１６】
（追記型記録媒体の第２実施例）
本発明の追記型記録媒体の第２実施例について説明する。第２実施例は、本発明の追記型記録媒体を２層の追記型光ディスクに適用した例である。図１０は当該追記型光ディスク１２０の記録構造を示している。図１０中の左側が光ディスク１２０の内周側であり、右側が光ディスク１２０の外周側である。
【０１１７】
図１０に示すように、光ディスク１２０の第１層には、ユーザデータエリア１２１、スペアエリア１２２Ａ、１２２Ｂ、リードインエリア１２３、リードアウトエリア１２４、確定的ディフェクト管理エリア１２５、一時的ディフェクト管理エリア１２６Ａ、１２６Ｂ、１２６Ｃおよびステータス情報記録エリア１２７が設けられている。ユーザデータエリア１２１、スペアエリア１２２Ａ、１２２Ｂによりデータゾーン１２８が形成される。光ディスク１２０の第２層には、ユーザデータエリア１３１、スペアエリア１３２Ａ、１３２Ｂおよび一時的ディフェクト管理エリア１３６Ａ、１３６Ｂが設けられている。ユーザデータエリア１３１、スペアエリア１３２Ａ、１３２Ｂによりデータゾーン１３８が形成される。
【０１１８】
このような構成を有する光ディスク１２０によっても、光ディスク１００と同様の作用効果を得ることができる。
【０１１９】
（ディフェクト管理情報の実施例）
本発明の追記型記録媒体におけるディフェクト管理情報の実施例について説明する。図１１は光ディスク１００用のディフェクト管理情報を示している。図１１に示すように、ディフェクト管理情報１４０には、設定情報１４１およびディフェクトリスト１４２が含まれている。設定情報１４１には、ユーザデータエリア１０１の開始アドレス、ユーザデータエリア１０１の終了アドレス、内周側のスペアエリア１０２Ａのサイズ、外周側のスペアエリア１０２Ｂのサイズおよびその他の情報が含まれている。
【０１２０】
光ディスク１００上のユーザデータエリア１０１の位置およびサイズは設定情報１４１に基づいて決まる。また、スペアエリア１０２Ａ、１０２Ｂのそれぞれのサイズ、位置も設定情報１４１に基づいて決まる。そして、設定情報１４１は、光ディスク１００のイニシャライズ時に、記録再生装置によって生成され、ディフェクト管理情報１４０の一部として光ディスク１００に記録される。したがって、データゾーン１０８の位置およびサイズは、記録再生装置によって任意に設定することができる。例えば、ユーザデータエリア１０１の開始アドレスまたはスペアエリア１０２Ａのサイズを調整すれば、リードインエリア１０３とデータゾーン１０８との間にエリアを形成することができ、そのエリアを一時的ディフェクト管理エリア１０６Ｂとして用いることができる。
【０１２１】
図１２はディフェクトリスト１４２の内容を示している。図１２に示すように、ディフェクトリスト１４２には、ユーザデータエリア１０１内におけるディフェクトが存在する位置を示すアドレス（以下、これを「ディフェクトアドレス」と呼ぶ。）と、そのディフェクトが存在する場所に記録すべき記録データまたはその場所に記録された記録データのスペアエリア１０２Ａまたは１０２Ｂ内における記録位置を示すアドレス（以下、これを「代替記録アドレス」と呼ぶ。）と、その他の情報とが記録されている。ユーザデータエリア１０１内に複数のディフェクトが存在するときには、それらのディフェクトに対応した複数のディフェクトアドレスと複数の代替記録アドレスがディフェクトリスト１４２内に記録される。光ディスク１００に記録された記録データを再生するときには、記録再生装置によりディフェクトリスト１４２のディフェクトアドレスと代替記録アドレスが参照される。ディフェクトリスト１４２を参照することにより、ディフェクトを避けて記録された記録データの記録の軌跡を辿ることができ、記録データを確実に再生することが可能となる。
【０１２２】
（ステータス情報の第１実施例）
本発明の追記型記録媒体におけるステータス情報の第１実施例について説明する。図１３は光ディスク１００用のステータス情報の第１実施例を示している。図１３に示すステータス情報１５０は、一時的ディフェクト管理エリア１０６Ａ、１０６Ｂ、１０６Ｃの記録状態を示す情報である。ステータス情報１５０は、一時的ディフェクト管理エリア１０６Ａ、１０６Ｂ、１０６Ｃのそれぞれの開始アドレスおよびそれぞれのサイズを示す情報と、ラストディフェクト管理情報フラグとを含んでいる。なお、一時的ディフェクト管理エリア１０６Ａ、１０６Ｂ、１０６Ｃのそれぞれのサイズを示す情報を、一時的ディフェクト管理エリア１０６Ａ、１０６Ｂ、１０６Ｃのそれぞれの終了アドレスを示す情報に代えてもよい。
【０１２３】
ラストディフェクト管理情報フラグは、一時的ディフェクト管理エリア１０６Ａ、１０６Ｂ、１０６Ｃのうち、ラストディフェクト管理情報が記録されている一時的ディフェクト管理エリアを示すフラグである。ラストディフェクト管理情報フラグは、３ビットのデータである。ラストディフェクト管理情報フラグのビット０は一時的ディフェクト管理エリア１０６Ａに対応しており、ビット１は一時的ディフェクト管理エリア１０６Ｂに対応しており、ビット２は一時的ディフェクト管理エリア１０６Ｃに対応している。
【０１２４】
ラストディフェクト管理情報フラグにおいて、ビットが「０」のときは、当該ビットに対応する一時的ディフェクト管理エリアに、ラストディフェクト管理情報が存在しないことを意味する。ビットが「１」のときは、当該ビットに対応する一時的ディフェクト管理エリアにラストディフェクト管理情報が存在することを意味する。なお、ラストディフェクト管理情報とは、上述したように、複数の一時的ディフェクト管理エリアの一部または全部に記録されたディフェクト管理情報のうち、時間的にみて最後に記録されたディフェクト管理情報をいう。
【０１２５】
以下、ステータス情報１５０の機能について具体的に説明する。図１４は、光ディスク１００の一時的ディフェクト管理エリアに４個のディフェクト管理情報が記録され、ステータス情報記録エリア１０７に４個のステータス情報が記録された状態を示している。なお、図１４では、説明の便宜上、リードインエリア１０３、データゾーン１０８等の表示を省略している。
【０１２６】
図１４において、ディフェクト管理情報１４０Ａは、最初に作成されたディフェクト管理情報である。これは第１の一時的ディフェクト管理エリア１０６Ａの先頭に記録されている。ディフェクト管理情報１４０Ｂは、１度目に更新されたディフェクト管理情報である。これはディフェクト管理情報１４０Ａの隣に連続的に記録されている。ディフェクト管理情報１４０Ｃは、２度目に更新されたディフェクト管理情報である。一時的ディフェクト管理エリア１０６Ａは、これら３個のディフェクト管理情報でいっぱいであり、これ以上ディフェクト管理情報を記録することが可能な未記録領域はない。ディフェクト管理情報１４０Ｄは、３度目に更新されたディフェクト管理情報である。これは一時的ディフェクト管理エリア１０６Ｂの先頭に記録されている。図１４において、ディフェクト管理情報１４０Ｄがラストディフェクト管理情報である。
【０１２７】
一方、図１４において、ステータス情報１５０Ａは、ディフェクト管理情報１４０Ａに対応するステータス情報である。これはディフェクト管理情報１４０Ａとほぼ同時期に記録されたものであり、ステータス情報記録エリア１０７の先頭に記録されている。ステータス情報１５０Ｂは、ディフェクト管理情報１４０Ｂに対応するステータス情報である。これはディフェクト管理情報１４０Ｂとほぼ同時期に記録されたものであり、ステータス情報１５０Ａの隣に連続的に記録されている。同様に、ステータス情報１５０Ｃはディフェクト管理情報１４０Ｃに対応し、ステータス情報１５０Ｄはディフェクト管理情報１４０Ｄに対応する。図１４において、ステータス情報１５０Ｄは、ラストディフェクト管理情報１４０Ｄに対応する。以下、ラストディフェクト管理情報に対応するステータス情報を「ラストステータス情報」という。
【０１２８】
図１３に示すステータス情報１５０は、図１４に示す光ディスク１００の記録状態を示している。すなわち、ステータス情報１５０は、図１４中のラストステータス情報１５０Ｄである。ステータス情報１５０（１５０Ｄ）において、ラストディフェクト管理情報フラグのビットのうち、ビット１が「１」である。これは、ビット１に対応する一時的ディフェクト管理エリア１０６Ｂにラストディフェクト管理情報１４０Ｄが記録されていることを示している。
【０１２９】
光ディスク１００に記録データを記録するとき、または光ディスク１００に記録された記録データを再生するとき、記録再生装置は、記録データの記録・再生を開始する前の準備段階において、光ディスク１００からディフェクト管理情報を読み取る。そして、記録再生装置は、この読み取ったディフェクト管理情報に基づいて、ディフェクト管理を行う。さらに、記録再生装置は、この読み取ったディフェクト管理情報に基づいてディフェクト管理情報の更新を行う。このように、記録再生装置が記録・再生の準備段階で読み取ったディフェクト管理情報は、ディフェクト管理の基礎となり、かつ、ディフェクト管理情報の更新の基礎となる。このため、このディフェクト管理情報は、現時点における光ディスク１００のディフェクトの状態がもっとも反映された、最新のディフェクト管理情報、すなわちラストディフェクト管理情報であることが望ましい。そこで、記録再生装置は、記録・再生の準備段階において、光ディスク１００の一時的ディフェクト管理エリア１０６Ａ、１０６Ｂ、１０６Ｃに記録された複数のディフェクト管理情報の中から、ラストディフェクト管理情報を特定し、これを読み取る。このとき、記録再生装置は、ステータス情報１５０のラストディフェクト管理情報フラグを参照する。これにより、記録再生装置は、ラストディフェクト管理情報が記録されている一時的ディフェクト管理エリアを認識することができ、ラストディフェクト管理情報を迅速に特定することができる。例えば、光ディスク１００の記録状態が図１４に示す状態である場合には、記録再生装置は、ステータス情報１５０Ｄにおけるラストディフェクト管理情報フラグのビット１が「１」であることを認識し、この認識に基づいて、一時的ディフェクト管理エリア１０６Ｂ内のみをサーチする。一時的ディフェクト管理エリア１０６Ａおよび１０６Ｃはサーチしない。これにより、記録再生装置は、ラストディフェクト管理情報１４０Ｄを迅速に特定することができる。
【０１３０】
（ステータス情報の第２実施例）
本発明の追記型記録媒体におけるステータス情報の第２実施例について説明する。図１５は光ディスク１００用のステータス情報の第２実施例を示している。図１５に示すステータス情報１６０は、一時的ディフェクト管理エリア１０６Ａ、１０６Ｂ、１０６Ｃの記録状態を示す情報である。ステータス情報１６０は、一時的ディフェクト管理エリア１０６Ａ、１０６Ｂ、１０６Ｃのそれぞれの開始アドレスおよびそれぞれのサイズを示す情報と、フルフラグとを含んでいる。
【０１３１】
フルフラグは、一時的ディフェクト管理エリア１０６Ａ、１０６Ｂ、１０６Ｃのそれぞれにおける未記録領域の有無を示すフラグである。フルフラグは、３ビットのデータである。フルフラグのビット０は一時的ディフェクト管理エリア１０６Ａに対応しており、ビット１は一時的ディフェクト管理エリア１０６Ｂに対応しており、ビット２は一時的ディフェクト管理エリア１０６Ｃに対応している。
【０１３２】
フルフラグにおいて、ビットが「０」のときは、当該ビットに対応する一時的ディフェクト管理エリアに未記録領域があることを意味する。ビットが「１」のときは、当該ビットに対応する一時的ディフェクト管理エリアに未記録領域がないことを意味する。
【０１３３】
以下、ステータス情報１６０の機能について図１４および図１５を用いて具体的に説明する。図１５に示すステータス情報１６０は、図１４に示す光ディスク１００の記録状態を示している。ステータス情報１６０において、フルフラグのビットのうち、ビット０が「１」であり、ビット１およびビット２がそれぞれ「０」である。これは、ビット０に対応する一時的ディフェクト管理エリア１０６Ａに未記録領域がなく、一時的ディフェクト管理エリア１０６Ｂおよび１０６Ｃには未記録領域があることを示している。ここで、ディフェクト管理情報の追記に用いる一時的ディフェクト管理エリアの順番が１０６Ａ→１０６Ｂ→１０６Ｃであることが予め決められているものとする。すなわち、ディフェクト管理情報を、まず一時的ディフェクト管理エリア１０６Ａに記録し、これがいっぱいになると、次に、一時的ディフェクト管理エリア１０６Ｂに記録し、これがいっぱいになる、次に、一時的ディフェクト管理エリア１０６Ｃに記録するというルールが記録再生装置に予め設定されているものとする。この条件のもとで、一時的ディフェクト管理エリア１０６Ａのみに未記録領域がないときには、ラストディフェクト管理情報は、次の一時的ディフェクト管理エリア１０６Ｂに記録されていることになる。よって、記録再生装置は、ステータス情報１６０を参照することにより、ラストディフェクト管理情報が記録されている一時的ディフェクト管理エリアを認識でき、ラストディフェクト管理情報を迅速に特定することができる。
【０１３４】
（ステータス情報の第３実施例）
本発明の追記型記録媒体におけるステータス情報の第３実施例について説明する。図１６は光ディスク１００用のステータス情報の第３実施例を示している。図１６に示すステータス情報１７０は、一時的ディフェクト管理エリア１０６Ａ、１０６Ｂ、１０６Ｃの記録状態を示す情報である。ステータス情報１７０は、一時的ディフェクト管理エリア１０６Ａ、１０６Ｂ、１０６Ｃのそれぞれの開始アドレスおよびそれぞれのサイズを示す情報と、記録状態フラグとを含んでいる。
【０１３５】
記録状態フラグは、一時的ディフェクト管理エリア１０６Ａ、１０６Ｂ、１０６Ｃのそれぞれについて、全域未記録か、一部記録済みか、全域記録済みかを示すフラグである。記録状態フラグは、６ビットのデータである。記録状態フラグのビット０およびビット１は一時的ディフェクト管理エリア１０６Ａに対応しており、ビット２およびビット３は一時的ディフェクト管理エリア１０６Ｂに対応しており、ビット４およびビット５は一時的ディフェクト管理エリア１０６Ｃに対応している。このように、記録状態フラグにおいては、２ビットが１個の一時的ディフェクト管理エリアに対応する。以下、１個の一時的ディフェクト管理エリアに対応する２ビットを「ビットユニット」という。
【０１３６】
記録状態フラグにおいて、ビットユニットが「００」のときは、当該ビットユニットに対応する一時的ディフェクト管理エリアが全域未記録であることを意味する。ビットユニットが「０１」のときは、当該ビットユニットに対応する一時的ディフェクト管理エリアが一部記録済みであることを意味する。ビットユニットが「１０」のときには、当該ビットユニットに対応する一時的ディフェクト管理エリアが全域記録済みであることを意味する。
【０１３７】
以下、ステータス情報１７０の機能について具体的に説明する。図１７は、光ディスク１００の一時的ディフェクト管理エリアに４個のディフェクト管理情報が記録され、ステータス情報記録エリア１０７に４個のステータス情報が記録された状態を示している。
【０１３８】
図１７において、最初に作成されたディフェクト管理情報１４０Ａ、１度目に更新されたディフェクト管理情報１４０Ｂ、および２度目に更新されたディフェクト管理情報１４０Ｃは、一時的ディフェクト管理エリア１０６Ａに記録されている。また、３度目に更新されたディフェクト管理情報１４０Ｄは、一時的ディフェクト管理エリア１０６Ｃに記録されている。一方、ディフェクト管理情報１４０Ａないし１４０Ｄに対応するステータス情報１７０Ａないし１７０Ｄは、ステータス情報記録エリア１０７に記録されている。図１７において、ディフェクト管理情報１４０Ｄがラストディフェクト管理情報であり、ステータス情報１７０Ｄがラストステータス情報である。
【０１３９】
図１６に示すステータス情報１７０は、図１７に示す光ディスク１００の記録状態を示している。すなわち、ステータス情報１７０は、図１７中のラストステータス情報１７０Ｄである。ステータス情報１７０（１７０Ｄ）において、記録状態フラグのビットユニットのうち、ビット４およびビット５からなるビットユニットが「０１」である。これは、このビットユニットに対応する一時的ディフェクト管理エリア１０６Ｃが一部記録済みであり、当該一時的ディフェクト管理エリア１０６Ｃが現在使用中であることを示している。これは、当該一時ディフェクト管理エリア１０６Ｃにラストディフェクト管理情報１４０Ｄが記録されていることを意味する。よって、記録再生装置は、ステータス情報１７０を参照することにより、ラストディフェクト管理情報１４０Ｄが記録されている一時的ディフェクト管理エリアを認識でき、ラストディフェクト管理情報１４０Ｄを迅速に特定することができる。
【０１４０】
（ステータス情報の第４実施例）
本発明の追記型記録媒体におけるステータス情報の第４実施例について説明する。図１８は光ディスク１００用のステータス情報の第４実施例を示している。図１８に示すステータス情報１８０は、一時的ディフェクト管理エリア１０６Ａ、１０６Ｂ、１０６Ｃの記録状態を示す情報である。ステータス情報１８０は、一時的ディフェクト管理エリア１０６Ａ、１０６Ｂ、１０６Ｃのそれぞれの開始アドレスおよびそれぞれのサイズを示す情報と、使用状態フラグとを含んでいる。
【０１４１】
使用状態フラグは、一時的ディフェクト管理エリア１０６Ａ、１０６Ｂ、１０６Ｃのそれぞれについて、アクティブかインアクティブかを示すと共に、アクティブの場合には、現在使用中か否かを示すフラグである。なお、「アクティブ」とは、一時的ディフェクト管理エリアの使用が予定もしくは許可されている状態または使用可能な状態を意味する。「インアクティブ」とは、一時的ディフェクト管理エリアの使用が予定もしくは許可されていない状態または使用不能な状態を意味する。例えば、一時的ディフェクト管理エリア１０６Ｃを他の用途に使用するときには、一時的ディフェクト管理エリア１０６Ｃをインアクティブにする。
【０１４２】
使用状態フラグは、６ビットのデータである。使用状態フラグのビット０およびビット１は一時的ディフェクト管理エリア１０６Ａに対応しており、ビット２およびビット３は一時的ディフェクト管理エリア１０６Ｂに対応しており、ビット４およびビット５は一時的ディフェクト管理エリア１０６Ｃに対応している。このように、使用状態フラグにおいては、２ビットが１個の一時的ディフェクト管理エリアに対応する。以下、１個の一時的ディフェクト管理エリアに対応する２ビットを「ビットユニット」という。
【０１４３】
使用状態フラグにおいて、ビットユニットが「００」のときは、当該ビットユニットに対応する一時的ディフェクト管理エリアがアクティブであり、かつ現在使用中でないことを意味する。ビットユニットが「０１」のときは、当該ビットユニットに対応する一時的ディフェクト管理エリアがアクティブであり、かつ現在使用中であることを意味する。ビットユニットが「１０」のときには、当該ビットユニットに対応する一時的ディフェクト管理エリアの全域がインアクティブであることを意味する。
【０１４４】
以下、ステータス情報１７０の機能について具体的に説明する。図１９は、光ディスク１００の一時的ディフェクト管理エリアに４個のディフェクト管理情報が記録され、ステータス情報記録エリア１０７に４個のステータス情報が記録された状態を示している。
【０１４５】
図１９において、最初に作成されたディフェクト管理情報１４０Ａ、１度目に更新されたディフェクト管理情報１４０Ｂ、および２度目に更新されたディフェクト管理情報１４０Ｃは、一時的ディフェクト管理エリア１０６Ａに記録されている。また、３度目に更新されたディフェクト管理情報１４０Ｄは、一時的ディフェクト管理エリア１０６Ｂに記録されている。一方、ディフェクト管理情報１４０Ａないし１４０Ｄに対応するステータス情報１８０Ａないし１８０Ｄは、ステータス情報記録エリア１０７に記録されている。図１９において、ディフェクト管理情報１４０Ｄがラストディフェクト管理情報であり、ステータス情報１８０Ｄがラストステータス情報である。
【０１４６】
図１８に示すステータス情報１８０は、図１９に示す光ディスク１００の記録状態を示している。すなわち、ステータス情報１８０は、図１９中のラストステータス情報１８０Ｄである。ステータス情報１８０（１８０Ｄ）において、使用状態フラグのビットユニットのうち、ビット２およびビット３からなるビットユニットが「０１」になっている。これは、このビットユニットに対応する一時的ディフェクト管理エリア１０６Ｂがアクティブであり、かつ現在使用中であることを示している。これは、当該一時ディフェクト管理エリア１０６Ｂにラストディフェクト管理情報１４０Ｄが記録されていることを意味する。よって、記録再生装置は、ステータス情報１８０を参照することにより、ラストディフェクト管理情報１４０Ｄが記録されている一時的ディフェクト管理エリアを認識でき、ラストディフェクト管理情報１４０Ｄを迅速に特定することができる。
【０１４７】
（記録装置・再生装置の実施例）
本発明の記録装置および再生装置の実施例について説明する。図２０は本発明の記録装置および再生装置の実施例を示している。図２０に示す記録再生装置２００は、光ディスク１００に記録データを記録する記録装置としての機能と、光ディスク１００に記録された記録データを再生する再生装置としての機能とを備えている。
【０１４８】
まず、記録再生装置２００の構成について説明する。記録再生装置２００は、図２０に示すように、ディスクドライブ３００と、バックエンド４００とを備えている。
【０１４９】
図２１はディスクドライブ３００の内部構成を示している。ディスクドライブ３００は、光ディスク１００に情報を記録すると共に、光ディスク１００に記録された情報を読み取る装置である。
【０１５０】
ディスクドライブ３００は、図２１に示すように、スピンドルモータ３５１、光ピックアップ３５２、ＲＦアンプ３５３およびサーボ回路３５４を備えている。
【０１５１】
スピンドルモータ３５１は光ディスク１００を回転させるモータである。
【０１５２】
光ピックアップ３５２は、光ディスク１００の記録面に対して光ビームを照射することによって記録データ等を記録面上に記録すると共に、光ビームの反射光を受け取ることによって記録面上に記録された記録データ等を読み取る装置である。光ピックアップ３５２は、光ビームの反射光に対応するＲＦ信号を出力する。
【０１５３】
ＲＦアンプ３５３は、光ピックアップ３５２から出力されたＲＦ信号を増幅して、そのＲＦ信号を変調復調部３５５に出力する。さらに、ＲＦアンプ３５３は、ＲＦ信号から、ウォブル周波数信号ＷＦ、トラックエラー信号ＴＥおよびフォーカスエラー信号ＦＥを作り出し、これらを出力する。
【０１５４】
サーボ回路３５４は、トラックエラー信号ＴＥ、フォーカスエラー信号ＦＥその他のサーボ制御信号に基づいて光ピックアップ３５２およびスピンドルモータ３５１の駆動を制御するサーボ制御回路である。
【０１５５】
さらに、ディスクドライブ３００は、図２１に示すように、変調復調部３５５、バッファ３５６、インターフェース３５７および光ビーム駆動部３５８を備えている。
【０１５６】
変調復調部３５５は、読取時において記録データに対してエラー訂正を行う機能と、記録時において記録データにエラー訂正符号を付加してこれを変調する機能とを備えた回路である。具体的には、変調復調部３５５は、読取時においては、ＲＦアンプ３５３から出力されるＲＦ信号を復調し、これに対してエラー訂正を行った後、これをバッファ３５６に出力する。さらに、変調復調部３５５は、復調されたＲＦ信号に対してエラー訂正を行った結果、エラー訂正が不能であるときには、その旨を示すエラー訂正不能信号を生成し、これをディフェクト検出部３５９に出力する。また、変調復調部３５５は、記録時においては、バッファ３５６から出力される記録データにエラー訂正符号を付加した後、これを、光ディスク１００の光学的特性等に適合する符号となるように変調し、変調された記録データを光ビーム駆動部３５８に出力する。
【０１５７】
バッファ３５６は、記録データを一時的に蓄える記憶回路である。
【０１５８】
インターフェース３５７は、ディスクドライブ３００とバックエンド４００との間の記録データ等の入出力制御ないし通信制御を行う回路である。具体的には、インターフェース３５７は、再生時においては、バックエンド４００からの要求命令に応じて、バッファ３５６から出力される記録データ（すなわち光ディスク１００から読み取られた記録データ）をバックエンド４００へ出力する。また、インターフェース３５７は、記録時においては、バックエンド４００からディスクドライブ３００に入力される記録データを受け取り、これをバッファ３５６に出力する。さらに、インターフェース３５７は、バックエンド４００からの要求命令に応じて、ディフェクト管理情報作成部３６０に保持されているディフェクトリストの全部または一部をバックエンド４００に出力する。
【０１５９】
光ビーム駆動部３５８は、記録時において、変調復調部３５５から出力された記録データ等に対応する光ビーム駆動信号を生成し、これを光ピックアップ３５２に出力する。光ピックアップ３５２は、光ビーム駆動信号に基づいて光ビームを変調し、光ディスク１００の記録面に照射する。これにより、記録データ等が記録面上に記録される。
【０１６０】
さらに、ディスクドライブ３００は、図２１に示すように、ディフェクト検出部３５９およびディフェクト管理情報作成部３６０を備えている。
【０１６１】
ディフェクト検出部３５９は、光ディスク１００のディフェクトを検出する回路である。そして、ディフェクト検出部３５９は、ディフェクトの存否を示すディフェクト検出信号を生成し、これを出力する。ディフェクト検出部３５９は、情報の読取時（ベリファイ時または再生時）における記録データのエラー訂正の結果に基づいて、ディフェクト検出を行う。上述したように、変調復調部３５５は、復調されたＲＦ信号に対してエラー訂正を行った結果、エラー訂正が不能であるときには、その旨を実質的に示すエラー訂正不能信号を生成し、これをディフェクト検出部３５９に出力する。ディフェクト検出部３５９は、このエラー訂正不能信号を受け取ったときに、ディフェクトが存在していることを示すディフェクト検出信号を出力する。
【０１６２】
ディフェクト管理情報作成部３６０は、ディフェクト検出部３５９から出力されたディフェクト検出信号に基づいて、ディフェクト管理情報１４０を作成し、または更新する回路である。ディフェクト管理情報１４０は、ディフェクト管理情報作成部３６０内に設けられた記憶回路に書換可能な状態で記憶される。さらに、ディフェクト管理情報作成部３６０は、バックエンド４００からの要求命令に応じて、ディフェクト管理情報１４０をインタ−フェース３５７を介してバックエンド４００に出力する。
【０１６３】
さらに、図２１に示すように、ディスクドライブ３００はＣＰＵ３６１を有している。ＣＰＵ３６１は、ディスクドライブ３００の全体的な制御および上述したディスクドライブ３００内の各要素間の情報のやり取りを制御する。さらに、ＣＰＵ３６１は、記録データおよびディフェクト管理情報１４０の記録動作および読取動作を制御する。さらに、ＣＰＵ３６１は、バックエンド４００から送られる制御命令ないし要求命令に応じて、ディスクドライブ３００とバックエンド４００との間のデータのやり取りを制御する。さらに、ＣＰＵ３６１はステータス情報を生成する。
【０１６４】
次に、図２２はバックエンド４００の内部構成を示している。バックエンド４００は、ディスクドライブ３００によって光ディスク１００から読み取られた記録データに対して再生処理を行うと共に、光ディスク１００に記録する目的で外部から供給された記録データを受け取り、これを圧縮（エンコード）してディスクドライブ３００に送り出す装置である。
【０１６５】
バックエンド４００は、ドライブ制御部４７１、ビデオデコーダ４７２、オーディオデコーダ４７３、ビデオエンコーダ４７４、オーディオエンコーダ４７５、システム制御部４７６およびディフェクト管理部４７７を備えている。
【０１６６】
ドライブ制御部４７１は、ディスクドライブ３００の読取処理および記録処理を制御する回路である。記録データを光ディスク１００から読み取ってそれを再生する作業、および記録データを外部から受け取ってそれを光ディスク１００に記録する作業は、バックエンド４００とディスクドライブ３００とが協働して行う。ドライブ制御部４７１は、ディスクドライブ３００の読取処理および記録処理を制御することにより、バックエンド４００とディスクドライブ３００との協働を実現する。具体的には、ドライブ制御部４７１は、ディスクドライブ３００に対して、読取、記録、バッファ３５６から記録データの出力、ディフェクト管理情報作成部３６０からのディフェクト管理情報１４０の出力などに関する要求命令を出力する。さらに、ドライブ制御部３７１は、記録データおよびディフェクト管理情報１４０その他各種情報の入力・出力を制御する入出力制御を行う。
【０１６７】
ビデオデコーダ４７２およびオーディオデコーダ４７３は、それぞれ、ディスクドライブ３００により光ディスク１００から読み取られ、ドライブ制御部４７１を介して供給された記録データを復調し、記録データをディスプレイ、スピーカなどにより再生可能な状態に変換する回路である。
【０１６８】
ビデオエンコーダ４７４およびオーディオエンコーダ４７５は、それぞれ、光ディスク１００に記録する目的で外部から入力された映像信号、音声信号等を受け取り、これを例えばＭＰＥＧ圧縮方式等により圧縮し、これを、ドライブ制御部４７１を介してディスクドライブ３００に供給する回路である。
【０１６９】
システム制御部４７６は、再生時には、ドライブ制御部４７１、ビデオデコーダ４７２、オーディオデコーダ４７３、ディフェクト管理部４７７を制御し、これらと協働して記録データの再生処理を行う回路である。また、記録時には、システム制御部４７６は、ドライブ制御部４７１、ビデオエンコーダ４７４、オーディオエンコーダ４７５、ディフェクト管理部４７７を制御し、これらと協働して記録データの記録処理を行う。また、システム制御部４７６は、再生時および記録時において、ディスクドライブ３００とバックエンド４００との協働を実現するために、ドライブ制御４７１と共に、ディスクドライブ３００に対する制御（例えば各種要求命令の生成・送信、応答信号の受信など）を行う。
【０１７０】
ディフェクト管理部４７７は、その内部に記憶回路を有しており、ディスクドライブ３００のディフェクト管理情報作成部３６０により作成・更新されたディフェクト管理情報１４０の全部または一部を受け取り、これを保持する機能を備えている。そして、ディフェクト管理部４７７はシステム制御部４７６と共に、ディフェクト管理を行う。
【０１７１】
次に、記録再生装置２００における初期設定処理について説明する。図２３は記録再生装置２００の初期設定処理を示している。記録再生装置２００は、光ディスク１００がドライブユニット３００に装着されてから、記録データの記録または再生を行うまでの間（記録・再生の準備段階）において、初期設定処理を行う。初期設定処理は、記録データの記録または再生の準備をするための処理であり、様々な処理を含んでいるが、以下、これらの処理のうち、光ディスク１００のイニシャライズ、ディフェクト管理情報１４０の作成・記録、ステータス情報の生成・記録およびディフェクト管理情報１４０のバックエンドへの送出等について説明する。これらの処理は、主としてドライブユニット３００のＣＰＵ３６１の制御のもとに行われる。
【０１７２】
図２３に示すように、光ディスク１００がドライブユニット３００に装着されると、ドライブユニット３００のＣＰＵ３６１は、光ディスク１００が未記録ディスク（ブランクディスク）であるか否かを判定する（ステップＳ１１）。
【０１７３】
光ディスク１００が未記録ディスクであるときには（ステップＳ１１：ＹＥＳ）、ＣＰＵ３６１は、光ディスク１００に対してイニシャライズ処理を行う（ステップＳ１２）。このイニシャライズ処理において、ディフェクト管理情報作成部３６０は、ディフェクト管理情報１４０を作成する（ステップＳ１３）。具体的には、イニシャライズ処理の中で設定されたユーザデータエリア１０１の開始アドレスおよび終了アドレス並びにスペアエリア１０２Ａおよび１０２Ｂのサイズを取得し、設定情報１４１を作成する。さらに、ディフェクトリスト１４２を作成する。なお、ここで作成されるディフェクトリスト１４２は、外枠のみであり、内実はない。すなわち、ディフェクトアドレスは記録されておらず、具体的な代替記録アドレスも記録されていない。ただ、ヘッダ、識別情報などが記録されるのみである。作成されたディフェクト管理情報１４０はディフェクト管理情報作成部３６０内に記憶保持される。
【０１７４】
続いて、ＣＰＵ３６１は、ディフェクト管理情報作成部３６０内に記憶されたディフェクト管理情報１４０をバックエンド４００に送る（ステップＳ１４）。ディフェクト管理情報１４０はバックエンド４００のディフェクト管理部４７７に記憶される。
【０１７５】
続いて、ＣＰＵ３６１は、ディフェクト管理情報作成部３６０内に記憶されたディフェクト管理情報１４０を光ディスク１００の一時的ディフェクト管理エリア１０６Ａに記録する（ステップＳ１５）。
【０１７６】
続いて、ＣＰＵ３６１は、ステータス情報１５０を作成する（ステップＳ１６）。ステップＳ１５において、ディフェクト管理情報１４０は一時的ディフェクト管理エリア１０６Ａに記録されたので、ラストディフェクト管理情報フラグのビット０が「１」に設定され、ビット１およびビット２はそれぞれ「０」に設定される。
【０１７７】
続いて、ＣＰＵ３６１は、ステータス情報１５０を光ディスク１００のステータス情報記録エリア１０７に記録する（ステップＳ１７）。
【０１７８】
一方、光ディスク１００が未記録ディスクでない場合には（ステップＳ１１：ＮＯ）、続いて、ＣＰＵ３６１は、光ディスク１００がファイナライズ済みか否かを判定する（ステップＳ１８）。
【０１７９】
光ディスク１００がファイナライズ済みでない場合には（ステップＳ１８：ＮＯ）、ＣＰＵ３６１は、ステータス情報に基づいて、光ディスク１００に記録されたラストディフェクト管理情報１４０を読み取る処理を行う。すなわち、光ディスク１００が未記録ディスクでない場合には、すでに過去に作成された１個または数個のディフェクト管理情報１４０が一時的ディフェクト管理エリア１０６Ａ、１０６Ｂ、１０６Ｃに記録されている。そこで、ＣＰＵ３６１は、ステータス情報に基づいて、一時的ディフェクト管理エリア１０６Ａ、１０６Ｂ、１０６Ｃに記録された１個または数個のディフェクト管理情報１４０の中から、ラストディフェクト管理情報を特定し、これを読み取る。
【０１８０】
具体的には、まず、ＣＰＵ３６１は、光ディスク１００のステータス情報記録エリアに記録されたステータス情報１５０の中から、ラストステータス情報を特定し、これを読み取る（ステップＳ１９）。
【０１８１】
続いて、ＣＰＵ３６１は、読み取ったステータス情報１５０に含まれるラストディフェクト管理情報フラグを参照し、ラストディフェクト管理情報が記録された一時的ディフェクト管理エリアを認識し、ラストディフェクト管理情報を特定する（ステップＳ２０）。
【０１８２】
続いて、ＣＰＵ３６１は、ラストディフェクト管理情報１４０を読み取る（ステップＳ２１）。
【０１８３】
続いて、ＣＰＵ３６１は、読み取ったディフェクト管理情報１４０をディフェクト管理情報作成部３６０に記憶し、かつ、これをバックエンド４００に送る（ステップＳ２２）。バックエンド４００において、ディフェクト管理情報１４０はディフェクト管理部４７７に記憶される。
【０１８４】
一方、光ディスク１００が未記録ディスクでなく、かつファイナライズ済みである場合には（ステップＳ１８：ＹＥＳ）、ＣＰＵ３６１は、ディフェクト管理情報１４０を確定的ディフェクト管理エリア１０５から読み取り（ステップＳ２３）、これをバックエンド４００に送る（ステップＳ２４）。バックエンド４００において、ディフェクト管理情報１４０はディフェクト管理部４７７に記憶される。
【０１８５】
以上の初期設定処理により、ディフェクト管理情報１４０がディスクドライブ３００のディフェクト管理情報作成部３６０に記憶され、かつ、バックエンド４００のディフェクト管理部４７７に記憶される。これにより、ディフェクト管理情報作成部３６０において、ディフェクト管理情報１４０の更新処理の準備が完了する。一方、ディフェクト管理部４７７において、ディフェクト管理の準備が完了する。
【０１８６】
次に、記録再生装置２００の記録処理について説明する。図２４は主に記録再生装置２００の記録処理を示している。記録再生装置２００は、記録データを光ディスク１００のユーザデータエリア１０１に記録する記録処理を行う。記録再生装置２００は、記録処理の中でベリファイ処理を行い、このベリファイ処理の結果に基づいてディフェクトリスト１４２を更新する。記録処理は、ドライブユニット３００のＣＰＵ３６１とバックエンド４００のシステム制御部４７６の協働によって実現する。
【０１８７】
図２４に示すように、ユーザが記録開始の指示を入力すると（ステップＳ３３：ＹＥＳ）、これに応じて、記録再生装置２００は記録データを記録する（ステップＳ３４）。記録データの記録は所定のブロックごとに行われる。
【０１８８】
記録再生装置２００は、１ブロックの記録を行う度に、ベリファイを行い（ステップＳ３５）、ベリファイの結果に基づいて、ディフェクト管理情報作成部３６０内に記憶されたディフェクトリスト１４２を更新する。具体的には、ベリファイの結果、記録データの記録に失敗したことを認識したときには（ステップＳ３６：ＹＥＳ）、ＣＰＵ３６１は、当該記録に失敗した記録データをスペアエリア１０２Ａまたは１０２Ｂに記録する（ステップＳ３７）。続いて、ＣＰＵ３６１は、当該記録データの記録すべきであった場所にディフェクトが存在すると推測し、その場所を示すディフェクトアドレスとそれに対応する代替記録アドレスをディフェクトリスト１４２に記録する（ステップＳ３８）。
【０１８９】
今回記録すべき記録データの一連のブロックについて上記ステップＳ３４ないしＳ３８の処理が終了したとき（ステップＳ３９：ＹＥＳ）、ＣＰＵ３６１は、更新したディフェクト管理情報１４０（更新したディフェクトリスト１４２を含むディフェクト管理情報１４０）を光ディスク１００の一時的ディフェクト管理エリア１０６Ａ、１０６Ｂ、１０６Ｃのいずれかに追記する（ステップＳ４０）。このとき、更新したディフェクト管理情報１４０は、前回記録されたディフェクト管理情報の隣に記録される。なお、前回記録されたディフェクト管理情報が存在する一時的ディフェクト管理エリアに未記録領域がないときには、更新したディフェクト管理情報１４０は、未記録の他の一時的ディフェクト管理エリアに記録される。更新したディフェクト管理情報１４０を記録すべき場所を決定するときに、図２３中のステップＳ１９で読み取ったステータス情報を用いてもよい。
【０１９０】
続いて、ＣＰＵ３６１は、ステータス情報１５０を生成する（ステップＳ４１）。更新されたディフェクト管理情報１４０が光ディスク１００の一時的ディフェクト管理エリア１０６Ａ、１０６Ｂ、１０６Ｃのいずれかに追記されたことにより、一時的ディフェクト管理エリア１０６Ａ、１０６Ｂ、１０６Ｃの記録状態が変化している。具体的には、今回更新されて、追記されたディフェクト管理情報１４０が新しいラストディフェクト管理情報となる。そのため、ＣＰＵ３６１は、このような記録状態の変化を反映するために、ステータス情報１５０を生成（更新）する。ＣＰＵ３６１は、ステップＳ４０で、ディフェクト管理情報１４０を追記した一時的ディフェクト管理エリアを認識しているので、この認識に基づいてステータス情報１５０を生成することができる。
【０１９１】
続いて、ＣＰＵ３６１は、この新たなステータス情報１５０を、光ディスク１００のステータス情報記録エリア１０７に追記する（ステップＳ４２）。新たなステータス情報は、前回記録されたステータス情報の隣に連続的に追記される。以上で、記録処理は完了する。
【０１９２】
次に、記録再生装置２００におけるファイナライズ処理について説明する。図２５はファイナライズ処理を示している。例えばユーザがファイナライズ処理を行う旨の指示を入力すると（図２４中のステップＳ３１：ＹＥＳ）、記録再生装置２００は、光ディスクがファイナライズ済みでないことを確認した上で（ステップＳ５１：ＹＥＳ）、その光ディスク１００に対してファイナライズ処理を行う（ステップＳ５２）。ファイナライズ処理の際に、記録再生装置２００は、ディフェクト管理情報作成部３６０内に記憶されたディフェクト管理情報１４０を光ディスク１００の確定的ディフェクト管理エリア１０５に記録する（ステップＳ５３）。以上で、ファイナライズ処理は完了する。
【０１９３】
次に、記録再生装置２００の再生処理について説明する。図２６は記録再生装置２００の再生処理を示している。
【０１９４】
ユーザが再生開始の指示を入力すると（図２４中のステップＳ３２：ＹＥＳ）、記録再生装置２００は、光ディスク１００が未記録ディスクでないことを確認した上で（ステップＳ６１：ＮＯ）、光ディスク１００のユーザデータエリア１０１に記録された記録データを再生する（ステップＳ６２）。記録再生装置２００は、バックエンド４００のディフェクト管理４７７に記憶されたディフェクト管理情報１４０に基づいてディフェクト管理を行いながら、記録データの再生を行う。
【０１９５】
以上より、記録再生装置２００によれば、(a)更新したディフェクト管理情報１４０を光ディスク１００の一時的ディフェクト管理エリア１０６Ａ、１０６Ｂ、１０６Ｃのいずれかに記録したときに、ステータス情報１５０を生成し、これを光ディスク１００のステータス情報記録エリア１０７に記録する構成とし、また、(b)ステータス情報記録エリア１０７に記録されたステータス情報１５０を読み取り、このステータス情報１５０に基づいて、一時的ディフェクト管理エリア１０６Ａ、１０６Ｂ、１０６Ｃのいずれかに記録されているラストディフェクト管理情報１４０を特定する構成とした。これにより、ラストディフェクト管理情報の迅速な特定・読取を実現することができる。
【０１９６】
なお、本発明は、請求の範囲および明細書全体から読み取るこのできる発明の要旨または思想に反しない範囲で適宜変更可能であり、そのような変更を伴う追記型記録媒体、記録装置、記録方法、再生装置および再生方法並びに記録装置および再生装置を実現するコンピュータプログラムもまた本発明の技術思想に含まれる。
（産業上の利用可能性）
本発明に係る追記型記録媒体、追記型記録媒体用の記録装置および記録方法、追記型記録媒体用の再生装置および再生方法、並びにこれらの機能を実現するコンピュータプログラムは、例えば、光ディスク、磁気ディスク、光磁気ディスク等の高密度記録媒体に利用可能である。また、例えば各種コンピュータ機器に搭載される又は各種コンピュータ機器に接続可能な、記録媒体、記録再生装置等にも利用可能である。
【図面の簡単な説明】
【０１９７】
【図１】本発明の追記型記録媒体の実施形態を示す説明図である。
【図２】本発明の追記型記録媒体に１個のディフェクト管理情報が記録された状態を示す説明図である。
【図３】本発明の追記型記録媒体に４個のディフェクト管理情報が記録された状態を示す説明図である。
【図４】本発明の追記型記録媒体に８個のディフェクト管理情報が記録された状態を示す説明図である。
【図５】本発明の記録装置の第１実施形態を示すブロック図である。
【図６】本発明の記録装置の第２実施形態を示すブロック図である。
【図７】本発明の再生装置の第１実施形態を示すブロック図である。
【図８】本発明の再生装置の第２実施形態を示すブロック図である。
【図９】本発明の追記型記録媒体の第１実施例を示す説明図である。
【図１０】本発明の追記型記録媒体の第２実施例を示す説明図である。
【図１１】ディフェクト管理情報の実施例を示す説明図である。
【図１２】ディフェクトリストの実施例を示す説明図である。
【図１３】ステータス情報の第１実施例を示す説明図である。
【図１４】光ディスクに４個のディフェクト管理情報が記録された状態を示す説明図である。
【図１５】ステータス情報の第２実施例を示す説明図である。
【図１６】ステータス情報の第３実施例を示す説明図である。
【図１７】光ディスクに４個のディフェクト管理情報が記録された状態を示す説明図である。
【図１８】ステータス情報の第４実施例を示す説明図である。
【図１９】光ディスクに４個のディフェクト管理情報が記録された状態を示す説明図である。
【図２０】本発明の記録装置および再生装置の機能を備えた記録再生装置の構成を示すブロック図である。
【図２１】ディスクドライブの構成を示すブロック図である。
【図２２】バックエンドの構成を示すブロック図である。
【図２３】記録再生装置における初期設定処理を示すフローチャートである。
【図２４】記録再生装置における記録処理を示すフローチャートである。
【図２５】記録再生装置におけるファイナライズ処理を示すフローチャートである。
【図２６】記録再生装置における再生処理を示すフローチャートである。
【符号の説明】
【０１９８】
１０…追記型記録媒体
１１…データエリア
１２…制御情報記録エリア
１３…確定的ディフェクト管理エリア
１４Ａ、１４Ｂ、１４Ｃ…一時的ディフェクト管理エリア
１５…ステータス情報記録エリア
３０、４０…記録装置
５０、６０…再生装置
１００…光ディスク
１０３…リードインエリア
１０５…確定的ディフェクト管理エリア
１０６Ａ、１０６Ｂ、１０６Ｃ…一時的ディフェクト管理エリア
１０７…ステータス情報記録エリア
１０８…データゾーン
１５０、１６０、１７０、１８０…ステータス情報
２００…記録再生装置
【図１】
2005276433.tif 000003
【図２】
2005276433.tif 000004
【図３】
2005276433.tif 000005
【図４】
2005276433.tif 000006
【図５】
2005276433.tif 000007
【図６】
2005276433.tif 000008
【図７】
2005276433.tif 000009
【図８】
2005276433.tif 000010
【図９】
2005276433.tif 000011
【図１０】
2005276433.tif 000012
【図１１】
2005276433.tif 000013
【図１２】
2005276433.tif 000014
【図１３】
2005276433.tif 000015
【図１４】
2005276433.tif 000016
【図１５】
2005276433.tif 000017
【図１６】
2005276433.tif 000018
【図１７】
2005276433.tif 000019
【図１８】
2005276433.tif 000020
【図１９】
2005276433.tif 000021
【図２０】
2005276433.tif 000022
【図２１】
2005276433.tif 000023
【図２２】
2005276433.tif 000024
【図２３】
2005276433.tif 000025
【図２４】
2005276433.tif 000026
【図２５】
2005276433.tif 000027
【図２６】
2005276433.tif 000028
【手続補正書】
【提出日】平成17年5月11日(2005.5.11)
【手続補正１】
【補正対象書類名】特許請求の範囲
【補正対象項目名】全文
【補正方法】変更
【補正の内容】
【特許請求の範囲】
【請求項１】
記録データを記録するためのデータエリアと、
前記データエリアのディフェクト管理情報を記録するための確定的ディフェクト管理エリアを含み、前記データエリアへの記録・読取を制御する情報を記録するための制御情報記録エリアと、
前記データエリアのディフェクト管理情報を一時的に記録するための離散的に配置された複数の一時的ディフェクト管理エリアと、
前記複数の一時的ディフェクト管理エリアの記録状態を示すステータス情報が記録されるステータス情報記録エリアとを備え、
前記複数の一時的ディフェクト管理エリアのうち、少なくとも一の一時的ディフェクト管理エリアは、前記制御情報記録エリアと前記データエリアとの間に配置されていることを特徴とする追記型記録媒体。
【請求項２】
前記ステータス情報は、前記複数の一時的ディフェクト管理エリアにおける未記録領域の有無を示す情報を含むことを特徴とする請求項１に記載の追記型記録媒体。
【請求項３】
前記一の一時的ディフェクト管理エリアは、前記データエリアの内周側に配置された前記制御情報記録エリアと前記データエリアとの間に配置されていることを特徴とする請求項１に記載の追記型記録媒体。
【請求項４】
前記一の一時的ディフェクト管理エリアは、前記データエリアの外周側に配置された前記制御情報記録エリアと前記データエリアとの間に配置されていることを特徴とする請求項１に記載の追記型記録媒体。
【請求項５】
前記一時的ディフェクト管理エリアは、前記確定的ディフェクト管理エリアより大きいことを特徴とする請求項１に記載の追記型記録媒体。
【請求項６】
前記確定的ディフェクト管理エリアには、前記ディフェクト管理情報が複数回繰り返し記録されることを特徴とする請求項１に記載の追記型記録媒体。
【請求項７】
前記複数の一時的ディフェクト管理エリアのうち、少なくとも一の一時的ディフェクト管理エリアは、前記制御情報記録エリア内に配置されていることを特徴とする請求項１に記載の追記型記録媒体。
【請求項８】
（i）記録データを記録するためのデータエリアと、(ii)前記データエリアのディフェクト管理情報を記録するための確定的ディフェクト管理エリアを含み、前記データエリアへの記録・読取を制御する情報を記録するための制御情報記録エリアと、(iii)前記データエリアのディフェクト管理情報を一時的に記録するための離散的に配置された複数の一時的ディフェクト管理エリアと、(iv)前記複数の一時的ディフェクト管理エリアの記録状態を示すステータス情報が記録されるステータス情報記録エリアとを備え、前記複数の一時的ディフェクト管理エリアのうち、少なくとも一の一時的ディフェクト管理エリアは、前記制御情報記録エリアと前記データエリアとの間に配置されている追記型記録媒体に前記記録データを記録するための記録装置であって、
前記記録データを前記データエリアに記録する第１の記録手段と、
前記ディフェクト管理情報を前記複数の一時的ディフェクト管理エリアのうちのいずれかに記録する第２の記録手段と、
前記複数の一時的ディフェクト管理エリアの記録状態を示すステータス情報を生成するステータス情報生成手段と、
前記ステータス情報生成手段により生成されたステータス情報を前記ステータス情報記録エリアに記録する第３の記録手段と、
を備えていることを特徴とする記録装置。
【請求項９】
（i）記録データを記録するためのデータエリアと、（ii)前記データエリアのディフェクト管理情報を記録するための確定的ディフェクト管理エリアを含み、前記データエリアへの記録・読取を制御する情報を記録するための制御情報記録エリアと、（iii)前記データエリアのディフェクト管理情報を一時的に記録するための離散的に配置された複数の一時的ディフェクト管理エリアと、（iv)前記複数の一時的ディフェクト管理エリアの記録状態を示すステータス情報が記録されるステータス情報記録エリアとを備え、前記複数の一時的ディフェクト管理エリアのうち、少なくとも一の一時的ディフェクト管理エリアは、前記制御情報記録エリアと前記データエリアとの間に配置されている追記型記録媒体に記録された前記記録データを再生するための再生装置であって、
前記ステータス情報記録エリアに記録されたステータス情報を読み取る第１の読取手段と、
前記第１の読取手段により読み取られたステータス情報に基づいて、時間的にみて最後に記録されたディフェクト管理情報が記録されている１個の一時的ディフェクト管理エリアを認識するエリア認識手段と、
前記エリア認識手段により認識された１個の一時的ディフェクト管理エリアに記録された前記ディフェクト管理情報を読み取る第２の読取手段と、
前記第２の読取手段により読み取られたディフェクト管理情報に基づいて、前記データエリアに記録された前記記録データを再生する再生手段と
を備えていることを特徴とする再生装置。